(57)【要約】  【課題】  遊技に不慣れな遊技者であっても興趣演出の実行を判りやすく認識することができる遊技機を提供すること。  【解決手段】  スロットマシンの主制御基板は、遊技者による始動操作の時期をスタートスイッチのオン信号で検知して（Ｓ１２：Ｙｅｓ）成立役（Ｓ１３）と始動演出の抽選（Ｓ１６及びＳ２０）を行い、その抽選結果に基づいて、直ぐに図柄の変動を開始させるか、次回にスタートレバーが操作されてから図柄の変動を開始させる始動演出を伴わせるかを切り替える。始動演出を伴うゲームとした場合、始動演出処理（Ｓ３０）の中で２回目以降の始動操作時期によってはボーナス役を成立させる。スタートレバーに対する複数回の入力操作が成立役に対応し、遊技者は自らの動作を伴う演出によって興趣演出の実行を判りやすく認識すると共に、複数回の入力操作が抽選結果に拘わるので遊技に対する参加意識を高めることができる。  【選択図】        図７
2005040525.tif 000002
【特許請求の範囲】
【請求項１】
遊技者によって入力操作が行われる始動操作手段と、複数の識別情報を可変表示する可変表示手段と、前記始動操作手段に対する入力操作に起因して前記可変表示手段による識別情報の変動を開始させる変動開始手段と、前記始動操作手段に対する前記入力操作の実行を検出する検出手段と、その検出手段により前記入力操作の実行が検出された時期に対応した抽選を行う抽選手段と、その抽選手段による抽選結果に基づいて前記可変表示手段の所定領域に停止させる識別情報を制御する停止制御手段と、その停止制御手段によって前記可変表示手段の所定領域に所定の識別情報を停止させた場合に所定の遊技価値を付与する遊技価値付与手段とを備えた遊技機において、
前記変動開始手段は、前記始動操作手段に対して１回の入力操作が行われた場合に前記識別情報の変動を開始させる通常始動手段と、
前記始動操作手段に対して前記入力操作が少なくとも２回以上繰り返して行われた場合に前記識別情報の変動を開始させる特別始動手段と、
前記通常始動手段と前記特別始動手段とを切り替えて、前記識別情報の変動を開始させるための前記入力操作の回数を変化させる操作回数変化手段とを備え、
前記抽選手段は、前記特別始動手段によって前記識別情報の変動を開始させる場合に複数回の前記入力操作の実行検出時期に対応した抽選結果を導出するものであり、
前記停止制御手段は、前記複数回の入力操作の実行検出時期に対応した抽選結果に基づいて前記可変表示手段の所定領域に停止させる識別情報を制御するものであることを特徴とする遊技機。
【発明の詳細な説明】
【技術分野】
【０００１】
本発明は、パチンコ機やスロットマシンに代表される遊技機に関するものである。
【背景技術】
【０００２】
遊技機の一種として、複数の図柄（識別情報の一種）が所定間隔おきにリールに付されて構成された図柄列を下方に変動させた後に停止図柄を表示する表示装置を備えたスロットマシン等が知られている。この種の遊技機では、表示装置の有効ライン上に特定の大当たり図柄が停止すると、いわゆるビックボーナスゲームやレギュラーボーナスゲームといった遊技者にとって有利なゲームが連続して発生し、遊技者には遊技をする上で使用するメダルが遊技価値の付与として多量に払い出される。
【０００３】
かかる遊技機において、ボーナスゲームの発生に代表される遊技状態の遷移は、抽選条件が成立する毎に行われる抽選によって決定されるものである。一般には、その抽選は、必要数のメダルが投入された状態における変動開始の操作のたびに行われ、図柄の変動停止前に遷移する遊技状態が前もって定められる。このため、ボーナスゲーム等の特定の遊技状態への遷移を遊技者に期待させるための演出（以下、「興趣演出」と称す。）を大当たり図柄の停止前に実行し、遊技者に大当たりの発生を期待させる。
【０００４】
興趣演出としては、例えば、図柄の変動を開始させるスタートレバーの操作時に特別の効果音を出力したり、図柄の変動停止時におけるランプの点灯パターンを特別のものに変化させたりする演出などがある。この興趣演出により、長時間にわたっての遊技が飽きにくいものとなり、また期待感が高められた状態で発生する大当たりによって遊技の興趣が高められる。このため、遊技者は、遊技を行う遊技機を選択する上で興趣演出の内容を参酌することも多くある。遊技場にとっては導入する遊技機の興趣演出が遊技機の稼働率に大きく影響するので、メーカーは、興趣演出の内容に工夫を凝らして遊技機の開発を行っている。
【特許文献１】特開２００２−２９１９７３号公報
【発明の開示】
【発明が解決しようとする課題】
【０００５】
しかしながら、遊技場には多数の遊技機が並んで設置されるため、興趣演出としての効果音が出力されても、自らが遊技を行っている遊技機から出力されたのか、別の遊技機から出力されたのかは判別し難いものである。このため、遊技に不慣れな遊技者は、折角の興趣演出を聞き逃してしまうことがあった。また、ランプの点灯パターン等を通常とは異ならせて興趣演出とする場合には、通常の状態と、興趣演出が行われた特別の状態との違いを遊技者が予め認識している必要があり、実行中の演出が興趣演出であるか否かの判別には相当の経験が必要となる。つまり、遊技に不慣れな遊技者は、興趣演出の実行を認識できないことが生じてしまうという問題点があった。
【０００６】
本発明は、上述した問題点を解決するためになされたものであり、遊技に不慣れな遊技者であっても興趣演出の実行を判りやすく認識することができる遊技機を提供することを目的としている。
【課題を解決するための手段】
【０００７】
この目的を達成するために請求項１記載の遊技機は、遊技者によって入力操作が行われる始動操作手段と、複数の識別情報を可変表示する可変表示手段と、前記始動操作手段に対する入力操作に起因して前記可変表示手段による識別情報の変動を開始させる変動開始手段と、前記始動操作手段に対する前記入力操作の実行を検出する検出手段と、その検出手段により前記入力操作の実行が検出された時期に対応した抽選を行う抽選手段と、その抽選手段による抽選結果に基づいて前記可変表示手段の所定領域に停止させる識別情報を制御する停止制御手段と、その停止制御手段によって前記可変表示手段の所定領域に所定の識別情報を停止させた場合に所定の遊技価値を付与する遊技価値付与手段とを備え、前記変動開始手段は、前記始動操作手段に対して１回の入力操作が行われた場合に前記識別情報の変動を開始させる通常始動手段と、前記始動操作手段に対して前記入力操作が少なくとも２回以上繰り返して行われた場合に前記識別情報の変動を開始させる特別始動手段と、前記通常始動手段と前記特別始動手段とを切り替えて、前記識別情報の変動を開始させるための前記入力操作の回数を変化させる操作回数変化手段とを備え、前記抽選手段は、前記特別始動手段によって前記識別情報の変動を開始させる場合に複数回の前記入力操作の実行検出時期に対応した抽選結果を導出するものであり、前記停止制御手段は、前記複数回の入力操作の実行検出時期に対応した抽選結果に基づいて前記可変表示手段の所定領域に停止させる識別情報を制御するものである。
【０００８】
この請求項１記載の遊技機によれば、遊技者によって始動操作手段に対する入力操作が行われると、その入力操作の実行が検出手段によって検出され、その実行が検出された時期に対応した抽選が抽選手段によって行われる。また、始動操作手段に対する入力操作に起因して可変表示手段による識別情報の変動が開始される。可変表示手段の所定領域には、停止制御手段により抽選手段の抽選結果に基づいた識別情報が停止する。可変表示手段の所定領域に所定の識別情報が停止すると、遊技価値付与手段によって所定の遊技価値が遊技者に付与される。
【０００９】
ここで、操作回数変化手段によって通常始動手段が選択された場合、始動操作手段に対する１回の入力操作が行われることを条件に識別情報の変動が開始させられる。一方、操作回数変化手段によって特別始動手段が選択された場合、始動操作手段に対する入力操作が少なくとも２回以上繰り返して行われることを条件に識別情報の変動が開始させられる。このため、操作回数変化手段により選択される始動操作手段に対応して、変動を開始させるために始動操作手段に対して行う入力操作の回数が変化する。
【００１０】
また、特別操作手段によって識別情報の変動を開始させる場合には、抽選手段が複数回の入力操作の実行検出時期に対応した抽選結果を導出する。このため、可変表示手段の所定領域に停止する識別情報（以下、「停止識別情報」と略す。）は、入力操作が１回であるか複数回であるかによって抽選条件が異なるものとなり、停止識別情報が、停止制御手段の制御によって複数回の入力操作の実行検出時期に対応する抽選結果に基づいたものとなる。この停止識別情報は、所定の遊技価値を付与する条件とされているので、変動開始に必要とする入力操作の回数は、所定の遊技価値の付与に対応したものとなる。
【発明の効果】
【００１１】
本発明の遊技機によれば、抽選手段は、特別操作手段によって識別情報の変動を開始させる場合には、複数回の入力操作の実行検出時期に対応した抽選結果を導出するので、変動開始に必要とする入力操作の回数が抽選手段の抽選結果に対応したものとなる。抽選手段の抽選結果は所定の遊技価値の付与に対応するので、所定の遊技価値の付与と、変動開始に必要な入力操作の回数とが対応したものとなる。よって、入力操作の回数変化によって生じる動作の変化を所定の遊技価値の付与に対応した興趣演出とすることができ、遊技者は、自らの動作の変化を手掛かりにして興趣演出の実行を判りやすく認識することができるという効果がある。
【００１２】
また、始動操作手段に対して行う識別情報の変動開始に対する入力操作は、遊技をする上で繰り返して行うものであり、この入力操作の回数が所定の遊技価値の付与に対応する。よって、遊技をする上での動作の変化により通常の状態とは異なる特別の状態となっていることを遊技者に判りやすく示すことができ、遊技に不慣れな遊技者であっても興趣演出の実行を判りやすく認識することができるという効果がある。
【００１３】
また、抽選手段は、特別操作手段によって識別情報の変動を開始させる場合に複数回の入力操作の実行検出時期に対応した抽選結果を導出する。このため、変動開始に対して行う１回目の入力操作だけでなく、２回目以降の入力操作も所定の遊技価値の付与に関連したものとなり、抽選方法を知る遊技者にとっては、２回目以降の入力操作時期も重要なものとして緊張感を抱かせることができる。よって、繰り返して行う入力操作を単なる消化作業的なものとせず、遊技価値に関連した入力操作として遊技者に緊張感を抱かせることができ、遊技に対しての参加意識を高めることができるという効果がある。
【発明を実施するための最良の形態】
【００１４】
以下、本発明の好ましい実施例について、添付図面を参照して説明する。図１は、本発明の一実施例であるスロットマシン１の斜視図である。図１を参照して、スロットマシン１の全体構成について説明する。
【００１５】
スロットマシン１は、前面を開放した箱状のマシン本体２を有している。マシン本体２の前面側には前面開閉扉としてのフロントパネル３が開閉自在に取り付けられている。このフロントパネル３が閉状態となっている場合に、フロントパネル３によってマシン本体２の前面開放側が閉鎖されるように構成されている。
【００１６】
フロントパネル３は、閉状態である場合には、図示しないロック機構によって開放不可能な状態にロックされている。このロック状態はフロントパネル３に設けられた解除操作部たるキーシリンダ（図示せず）に対する所定のキー操作によって解除される。
【００１７】
フロントパネル３には、縦長の３つの表示窓５Ｌ，５Ｍ，５Ｒが横並びに設けられている。表示窓５Ｌ，５Ｍ，５Ｒは、半透明の材質で形成されており、各表示窓５Ｌ〜５Ｒを通してマシン本体２の内部を視認可能に構成されている。
【００１８】
マシン本体２内には、可変表示手段を構成する左リールＬと、中リールＭと、右リールＲとが収納されている。各リールＬ，Ｍ，Ｒはそれぞれ円筒状（円環状）に形成されており、各リールＬ，Ｍ，Ｒの中心軸線が当該リールＬ，Ｍ，Ｒの回転軸線となって回転可能に支持されている。各リールＬ，Ｍ，Ｒの回転軸線は、略水平方向に延びる同一軸線上に配設され、それぞれのリールＬ，Ｍ，Ｒが各表示窓５Ｌ，５Ｍ，５Ｒと１対１で対応している。従って、各リールＬ，Ｍ，Ｒの表面の一部は、それぞれ対応する表示窓５Ｌ，５Ｍ，５Ｒを通して視認可能な状態とされている。
【００１９】
また、各リールＬ，Ｍ，Ｒが回転すると、各表示窓５Ｌ，５Ｍ，５Ｒには、リールＬ，Ｍ，Ｒの外周面に付した図柄が上から下へ向かって移動しているかのように映し出される。これら各リールＬ，Ｍ，Ｒは、各リール毎に対応して１つずつ配設された３つのリール用ステッピングモータ２８（図４参照）に連結されており、各リール用ステッピングモータ２８の駆動により各リールＬ，Ｍ，Ｒが個別に独立して回転駆動及び停止が可能に構成される。
【００２０】
各リールＬ，Ｍ，Ｒの外周面には、それぞれ識別情報としての図柄が多数設けられている。これらの図柄のうち、表示窓５Ｌ，５Ｍ，５Ｒを介して視認可能な図柄数は、主として表示窓５Ｌ，５Ｍ，５Ｒの上下方向の長さによって決定される所定数に限られる。本実施例では、遊技者に視認可能な図柄数は、各リールＬ，Ｍ，Ｒ毎に３個ずつとされている。
【００２１】
ここで、図２及び図３を参照して、各リールＬ，Ｍ，Ｒに付される図柄について説明する。図２は、左リールＬと、中リールＭと、右リールＲとを平面状に展開して図柄配列を示した展開図である。図２に示すように、各リールＬ，Ｍ，Ｒには２１個の図柄が縦一列に設けられている。各リールＬ，Ｍ，Ｒに対応して「０１」から「２１」のコマ番号を付しているが、これらのコマ番号は説明の便宜上付したものであり、各リールＬ，Ｍ，Ｒに実際に付されているものではない。但し、以下の説明においては当該コマ番号を使用して説明する。図３は、遊技者に利益が付与される各役と、入賞図柄、獲得利益及び役成立率との対応を示した図である。
【００２２】
図２に示すように、各リールＬ，Ｍ，Ｒの図柄は、色相の異なる２種類の「７」図柄と、「ＢＡＲ」図柄と、「賽銭箱」図柄と、「鈴」図柄と、「水瓶」図柄と、「チェリー」図柄との計７種類で構成されている。「７」図柄は、ボーナス役としてのビックボーナス（以下、適宜「ＢＢ」と略す）の入賞を示す図柄であり、白色のもの（例えば、左リールコマ番号第２番。以下、適宜「白７」と略す。）と、赤色のもの（例えば、左リールコマ番号第１１番。以下、適宜「赤７」と略す。）とが設けられている。「ＢＡＲ」図柄（例えば、左リールコマ番号第１６番）は、ボーナス役としてのレギュラーボーナス（以下、適宜「ＲＢ」と略す。）の入賞を示す図柄である。「水瓶」図柄（例えば、左リールコマ番号第５番）は、無償の再遊技が可能なリプレイ役の入賞を示す図柄である。また、「賽銭箱」図柄（例えば、左リールコマ番号第４番）、「鈴」図柄（例えば、左リールコマ番号第１番）、及び、「チェリー」図柄（例えば、左リールコマ番号第３番）は、各図柄毎に遊技者に付与される利益の異なる小役の入賞を示す図柄である。
【００２３】
なお、図２に示すように、各リールＬ，Ｍ，Ｒにおいて、各図柄の数や配列は全く異なるように配設される。また、小役の入賞を示す図柄（小役図柄）と、リプレイ役の入賞を示す図柄（リプレイ図柄）とは、「チェリー」図柄を除き、各リールＬ，Ｍ，Ｒに全て４コマ以下の間隔で配設されている。後述する小役成立テーブル２２ｂ（図４参照）を使用して強制的に小役図柄又はリプレイ図柄を所定の位置に停止させる場合、最大でも４コマ分の移動をするだけで、当該図柄を制御上の所定の停止位置に停止させることができる。
【００２４】
ここで、スロットマシン１に設定される役について、図３を参照して説明する。役としては、ボーナス役、小役、リプレイ役、及び、ハズレ役の４種類に大別され、以下に順に説明する。ボーナス役とは、通常の遊技からいわゆるボーナスゲームと称する特別遊技（遊技者にとって有利な遊技）に移行させる役であり、ビッグボーナス（ＢＢ）とレギュラーボーナス（ＲＢ）との２種類が設定されている。なお、特別遊技とは、前回以前の遊技における役成立（入賞を含む）に基づいて当該遊技後に行われる遊技者にとって有利な遊技を意味している。
【００２５】
ビッグボーナス（ＢＢ）は、ボーナスゲームの１つであるビッグボーナスゲーム（以下、適宜ＢＢゲームと略す。）に移行させる役である。「白７」又は「赤７」が後述する有効ライン６ａ〜６ｅ（図１参照）上に同一色で３つ並んで停止した場合には、「ＢＢ」の入賞となって１５枚のメダルの払出が行われると共に遊技がＢＢゲームに移行する。遊技を行う遊技者は、「ＢＢ」の入賞によってメダル１５枚とＢＢゲームによる利益とを獲得する。ＢＢゲームは、３０回以内の小役ゲームと、小役ゲーム中の所定役（本実施例においてはリプレイ役）の入賞を条件に３回を上限として移行するボーナスゲームとにより構成される。ボーナスゲームは、所定の小役（本実施例においては賽銭箱役）に高確率で入賞する遊技を所定条件の成立まで（本実施例においては８回入賞するまで）行うものである。
【００２６】
レギュラーボーナス（ＲＢ）は、ボーナスゲームの１つであるＲＢゲームに移行させる役である。「ＢＡＲ」図柄が後述する有効ライン６ａ〜６ｅ上に３つ並んで停止した場合には、「ＲＢ」の入賞となって１５枚のメダルの払出が行われると共に遊技がＲＢゲームに移行する。ＲＢゲームは、ＢＢゲーム中のボーナスゲームに相当するゲームを１回だけ行うものである。
【００２７】
小役とは、予め定めたメダルの払出を行う役である。スロットマシン１には、小役として、「賽銭箱」、「鈴」、及び、「チェリー」の３種類が設定されている。「賽銭箱」図柄が後述する有効ライン６ａ〜６ｅ上に３つ並んで停止した場合には、「賽銭箱」の入賞となって１５枚のメダルの払出が行われる。また、「鈴」図柄が有効ライン６ａ〜６ｅ上に並んで停止した場合には、「鈴」の入賞となって９枚のメダルの払出が行われる。
【００２８】
左リールＬの「チェリー」図柄が有効ライン６ａ〜６ｅ上に停止した場合には、「チェリー」の入賞となって２枚のメダルの払出が行われる。ここで、「チェリー」の役については、中リールＭ及び右リールＲの「チェリー」図柄はメダルの払出とは無関係である。「チェリー」に限っては、左リールＬにおける有効ライン６ａ〜６ｅが２つ重なる位置、即ち、上段又は下段に「チェリー」図柄が停止した場合には、その重なった有効ライン数を乗じた分だけメダルの払出が行われる。このため、１回の遊技で「チェリー」の入賞として４枚のメダルの払出が行われることがある。
【００２９】
リプレイ役とは、無償で再遊技を行うことができる役である。「水瓶」図柄が有効ライン上に３つ並んで停止した場合には、「水瓶」の入賞となって当該遊技でのメダルの投入枚数（ベット枚数）を維持した遊技が次回の遊技で行われる。
【００３０】
ハズレ役とは、上記したボーナス役、小役、及び、リプレイ役とは異なり、遊技者に利益が全く供与されない役であり、スロットマシン１においては、ゲームの半数以上がハズレ役となるように制御が行われる。上記したボーナス役、小役、及び、リプレイ役の入賞を示す図柄の組み合わせのいずれも有効ライン上に停止していない場合にはハズレ役となり、メダルの払出は一切行われない。
【００３１】
なお、円筒状のリールＬ，Ｍ，Ｒを構成の一部として図柄を表示する表示装置は、識別情報を可変表示する可変表示手段の一例であり、可変表示手段は、上記以外の構成であってもよい。例えば、ベルト式リール等の他の機械的なリール構成としてもよい。また、機械的なリール構成に代えて、或いはこれに加えて、液晶表示器、ドットマトリクス表示器等の電気的表示により識別情報を可変表示させるものを設けてもよく、この場合は表示形態に豊富なバリエーションをもたせることが可能となる。
【００３２】
図１に戻って説明する。フロントパネル３には、各表示窓５Ｌ，５Ｍ，５Ｒを結ぶように、横方向へ平行な３本の有効ライン６ｂ〜６ｄと、斜め方向へたすき掛けとなる２本の有効ライン６ａ，６ｅとの計５本の有効ライン６ａ〜６ｅが付されている。また、各有効ライン６ａ〜６ｅに対応して、表示窓５Ｌ，５Ｍ，５Ｒの正面視左側には有効ライン表示ランプ７ａ〜７ｃが設けられている。
【００３３】
第１有効ライン表示ランプ７ａは、中央の横ライン（中央ライン）６ｃが有効化されていることを点灯して示すものである。１の遊技（１回のゲーム）に対して１枚以上のメダル投入があった場合には中央ライン６ｃが有効化され、第１有効ライン表示ランプ７ａが点灯する。
【００３４】
第２有効ライン表示ランプ７ｂは、上下の横ライン（上ライン６ｂ及び下ライン６ｄ）が有効化されていることを点灯して示すものである。１回のゲームに対して２枚以上のメダル投入があった場合には、中央ライン６ｃと共に上ライン６ｂ及び下ライン６ｄが有効化され、第１有効ライン表示ランプ７ａと第２有効ライン表示ランプ７ｂとが共に点灯する。
【００３５】
第３有効ライン表示ランプ７ｃは、一対の斜めライン（右上がりライン６ａ及び右下がりライン６ｅ）が有効化されていることを点灯して示すものである。１回のゲームに対して最大数の３枚のメダル投入があった場合には、全ての有効ライン６ａ〜６ｅが有効化され、全ての有効ライン表示ランプ７ａ〜７ｃが点灯する。なお、有効ライン数は、必ずしも５本とする必要はなく、６本以上としてもよく、５本未満としてもよい。
【００３６】
表示窓５Ｌ，５Ｍ，５Ｒの正面視左下側には、各リールＬ，Ｍ，Ｒを一斉（同時である必要はない）に回転させて図柄の変動（変動表示）を開始させるために遊技者によって入力操作が行われるスタートレバー８が設けられている。スタートレバー８を揺動可能に支持するフロントパネル３の裏面側には、スタートスイッチ８ａ（図４参照）が連結されている。リールＬ，Ｍ，Ｒが停止している時に、スタートレバー８が傾倒されるとスタートスイッチ８ａがオンに切り替わり、各リールＬ，Ｍ，Ｒの回転が開始される。
【００３７】
スタートレバー８の右側には、回転している各リールＬ，Ｍ，Ｒの変動を個別に停止させるために遊技者によって入力操作が行われる押しボタン式のストップスイッチ９Ｌ，９Ｍ，９Ｒが設けられている。各ストップスイッチ９Ｌ，９Ｍ，９Ｒは、停止対象となるリールＬ，Ｍ，Ｒに対応する表示窓５Ｌ，５Ｍ，５Ｒの直下にそれぞれ配置されている。
【００３８】
このストップスイッチ９Ｌ，９Ｍ，９Ｒは、白色半透明の合成樹脂により円筒状に形成されたボタンがスロットマシン１の前面側に突出して形成されると共に、そのボタンの裏側には、各ストップスイッチ９Ｌ，９Ｍ，９Ｒを赤色及び青色に光らせるスイッチランプ１８Ｌ，１８Ｍ，１８Ｒが内蔵されている。スタートレバー８が遊技者により傾倒されて各リールＬ，Ｍ，Ｒの回転が開始されると、スイッチランプ１８Ｌ，１８Ｍ，１８Ｒ（ストップスイッチ９Ｌ，９Ｍ，９Ｒ）が赤色に点灯してボタン全体を発光させ、ストップスイッチ９Ｌ，９Ｍ，９Ｒに対する停止操作をしても変動が停止しない期間中であることを遊技者に示す。各リールＬ，Ｍ，Ｒの回転後に一定時間（本実施例においては４．１秒）が経過するとストップスイッチ９Ｌ，９Ｍ，９Ｒが青色の点灯に切り替わり、停止操作により変動が停止する期間中であることを遊技者に示す。なお、ストップスイッチ９Ｌ，９Ｍ，９Ｒのいずれかに対するリール停止操作が行われると、その停止操作が行われたストップスイッチの裏側に内蔵されたスイッチランプが消灯する。
【００３９】
表示窓５Ｌ，５Ｍ，５Ｒの右下側には、投資価値としてのメダルを投入するためのメダル投入口１０が設けられている。フロントパネル３の裏面側には、このメダル投入口１０に投入されたメダルの枚数を検出する投入メダル検出センサ１０ａ（図４参照）が設けられている。
【００４０】
メダル投入口１０の左側には、予め貯留して記憶された（クレジットされた）クレジットメダルを一度に３枚投入するための押しボタン式のベットスイッチ１１が設けられている。スロットマシン１の制御を行う主制御基板Ｃは、クレジットメダルの貯留数をＭＰＵ２１（図４参照）の予め定めた記憶領域に記憶し、メダルの払出が行われる場合やメダルが必要量より多く投入された場合に、一定枚数（本実施例では５０枚）以下の範囲内でクレジットメダルの数を増加させる。ベットスイッチ１１が押下されてオンとなると、貯留記憶されたクレジットメダル数の範囲内で仮想的にメダルが投入され、投入メダル数に対応した有効ライン６ａ〜６ｅが有効化される。
【００４１】
スタートレバー８の左側には、押しボタン式のクレジット払出スイッチ１２が配設されている。このクレジット払出スイッチ１２が遊技者により押下されると、メダル投入口１０に必要量より多く投入されたメダルや所定の遊技結果に応じて遊技者に利益として払い出されたメダル等によるクレジットメダルが返還される。なお、表示窓５Ｌ，５Ｍ，５Ｒの左下には、上記したクレジットメダルの残数を表示するメダル枚数表示ランプ１３が配設されており、クレジット払出スイッチ１２が遊技者により押下されると、メダル枚数表示ランプ１３に表示された枚数のメダルが遊技者へ払い出される。
【００４２】
フロントパネル３の下側には、メダルを遊技者に払い出すためのメダル排出口１４と、そのメダル排出口１４から払い出されたメダルを貯留する下皿１５とが配設されている。
【００４３】
表示窓５Ｌ，５Ｍ，５Ｒの上側には、ＬＣＤ１６が配設されている。このＬＣＤ１６は、遊技の進行に伴う各種の表示演出を実行すると共に、機械の内部で選定された情報を遊技者に示すためのものである。ＬＣＤ１６の左右両側には、スロットマシン１において行われる遊技の効果音を出力するスピーカ１７が配設されている。また、ＬＣＤ１６の上側には、スロットマシン１の状態に応じて点灯状態が切り替えられるランプ１８Ｕが配設されている。
【００４４】
次に、図４を参照して、スロットマシン１の電気的構成について説明する。図４は、スロットマシン１の電気的構成を示したブロック図である。スロットマシン１は主制御基板Ｃを備え、この主制御基板Ｃには、演算装置である１チップマイコンとしてのＭＰＵ２１と、そのＭＰＵ２１とバスライン２４を介して接続されると共に各種のＩ／Ｏ装置と接続された入出力ポート２５とが搭載されている。ＭＰＵ２１には、ＭＰＵ２１により実行される各種の制御プログラムや固定値データを記憶したＲＯＭ２２と、そのＲＯＭ２２内に記憶される制御プログラムの実行に当たって各種のデータ等を一時的に記憶するためのメモリであるＲＡＭ２３と、割込回路やタイマ回路、データ送受信回路などの回路とが内蔵されている。なお、図６から図１０に示すフローチャートのプログラムは、制御プログラムの一部としてＲＯＭ２２内に記憶されている。
【００４５】
ＲＯＭ２２は、内部抽選に従った図柄の組み合わせで各リールＬ，Ｍ，Ｒの回転が停止するように停止位置を決定する複数の停止位置決定テーブル、即ち、ボーナス成立テーブル２２ａと、小役成立テーブル２２ｂと、最小移動ハズレテーブル２２ｃとを備えている。ボーナス成立テーブル２２ａは、ボーナス役であるビックボーナス（ＢＢ）又はレギュラーボーナス（ＲＢ）のいずれかが成立した場合、即ち、ボーナス役に対する内部抽選に当選して入賞条件が成立した場合に使用され、各リールＬ，Ｍ，Ｒの回転停止時に有効ライン６ａ〜６ｅのいずれかに成立役に対応したボーナス図柄（「白７」、「赤７」又は「ＢＡＲ」）を並べて停止させるテーブルである。小役成立テーブル２２ｂは、それぞれの小役およびリプレイ役に対応して複数種類が設けられ、小役又はリプレイ役の成立時に使用され、各リールＬ，Ｍ，Ｒの回転停止時に有効ライン６ａ〜６ｅのいずれかに成立役の入賞を示す図柄を並べて停止させるテーブルである。各役の入賞条件は、本実施例においては後述する乱数カウンタ２３ｂを使用したスロットマシン１の抽選に基づく役の成立となっている。なお、必ずしも各役の入賞条件を内部抽選による役成立のみとする必要はなく、他の条件を加えても良い。例えば、遊技者により操作されるストップスイッチ９Ｌ，９Ｍ，９Ｒの押し順を入賞条件に加えても良く、制御内容については一般的なものであるため説明を省略する。
【００４６】
ここで、図５を参照して、リールＬ，Ｍ，Ｒの回転停止位置を決定する停止位置決定テーブルについて説明する。図５は、小役成立テーブル２２ｂの一部を構成する水瓶用小役成立テーブル２２ｂ１を模式的に示した図である。この水瓶用小役成立テーブル２２ｂ１は、内部抽選によって「水瓶」の役が成立した場合に使用される。水瓶用小役成立テーブル２２ｂ１には、遊技者によって各ストップスイッチ９Ｌ，９Ｍ，９Ｒが操作されたタイミングに対するリールＬ，Ｍ，Ｒの停止位置が予め定められている。
【００４７】
例えば、「水瓶」が成立した状態で図柄の変動が行われている場合に左リールＬに対するストップスイッチ９Ｌが操作されると、そのタイミングが水平方向中段の有効ライン６ｃ上にコマ番号第８番の図柄（「水瓶」図柄）が存在するときであれば、左リールＬは直ちに停止し、水平方向中段の有効ライン６ｃ上にはコマ番号第８番の図柄（「水瓶」図柄、図２参照）が停止する。その後にも引き続き水瓶用小役成立テーブル２２ｂ１を参照してリールの停止制御が行われる。
【００４８】
具体的には、水平方向中段の有効ライン６ｃ上にコマ番号１７番の図柄（「賽銭箱」図柄、図２参照）が存在するタイミングで遊技者の操作によってストップスイッチ９Ｌがオンされると、左リールＬは３コマ分回転を継続してから（滑ってから）、水平方向中段の有効ライン６ｃ上にコマ番号第１３番の図柄（「水瓶」図柄）を引き込んで停止する。このストップスイッチ９Ｌ，９Ｍ，９Ｒの操作後にリールの回転を継続する量（滑り量）は少ない方が遊技に対する不信感を与えないので、スロットマシン１においては最大４コマに設定されている。
【００４９】
なお、水瓶用小役成立テーブル２２ｂ１以外にも、主制御基板ＣのＲＯＭ２２には、各成立役に対応した小役成立テーブル２２ｂ及びボーナス成立テーブル２２ａがそれぞれ設けられるが、一般的な制御であるのでその説明を省略する。
【００５０】
図４に戻って、最小移動ハズレテーブル２２ｃについて説明する。最小移動ハズレテーブル２２ｃは、ボーナス役、小役及びリプレイ役に対する入賞条件が成立しなかった場合に使用されるテーブルであり、各リールＬ，Ｍ，Ｒの回転停止時に有効ライン６ａ〜６ｅのいずれにも成立役の入賞を示す図柄を停止させずに図柄を停止させるテーブルである。この最小移動ハズレテーブル２２ｃには、ストップスイッチ９Ｌ，９Ｍ，９Ｒの操作時における各リールＬ，Ｍ，Ｒの位置から停止可能位置を検索し、その停止可能位置の範囲内において各リールＬ，Ｍ，Ｒの移動量が最も少ない位置にいずれの役の入賞をも伴わないハズレの表示結果を停止させる位置が定められている。当選していない図柄が有効ライン６ａ〜６ｅに停止してしまうタイミングでストップスイッチ９Ｌ，９Ｍ，９Ｒが押下されても、この最小移動ハズレテーブル２２ｃを参照していずれの有効ライン６ａ〜６ｅ上にも役の入賞を示す図柄が停止しないように、１コマから４コマまで図柄を滑らせて停止させる。
【００５１】
主制御基板ＣのＲＡＭ２３は、状態フラグ２３ａと、乱数カウンタ２３ｂと、ＢＢ成立フラグ２３ｃと、ＲＢ成立フラグ２３ｄと、小役成立フラグ２３ｅと、演出抽選カウンタ２３ｆと、始動操作カウンタ２３ｇとを備えている。
【００５２】
状態フラグ２３ａは、スロットマシン１における遊技の状態、即ち、通常ゲーム中、ボーナスゲーム中、或いは、エラー状態等その他の状態を示すためのフラグである。この状態フラグ２３ａは、電源入時に通常ゲームの状態を示すデータ（本実施例においては「０」）が設定される一方、後述するＢＢ成立フラグ２３ｃ又はＲＢ成立フラグ２３ｄがオンされて、「白７」、「赤７」又は「ＢＡＲ」のいずれかが有効ライン６ａ〜６ｅ上に同一図柄で３つ並んで停止した場合、その後の遊技をボーナスゲームへ移行させるために、ボーナスゲーム中を示すデータ（ＢＢは「１」、ＲＢは「２」）が書き込まれる（図１０、Ｓ７２参照）。また、ボーナスゲームの終了時には、その後の遊技を通常ゲームへ移行させるために、状態フラグ２３ａには、通常ゲームの状態を示すデータが書き込まれる（図示せず）。
【００５３】
乱数カウンタ２３ｂは、成立役を選定する内部抽選を行うためのカウンタである。この乱数カウンタ２３ｂは、後述するカウンタ更新処理（図６、Ｓ５参照）によって、「０」〜「６５５３５」の範囲内で順に加算して更新される。かかる乱数カウンタ２３ｂの値は、遊技者によってスタートレバー８が操作されてスタートスイッチ８ａのオンが検出された場合（始動操作時）に、後述する変動開始処理において参照され、このとき参照された値に対して予め割り当てられた役が成立役となる（図７、Ｓ１３参照）。この乱数カウンタ２３ｂの値に対して各成立役は、図３に示す割合で割り当てられており、例えば、１／２９３の割合である２２４個の乱数値が「ＢＢ」に割り当てられ、また、約１／３９０の割合である１６８個の乱数値が「ＲＢ」に割り当てられている（図３参照）。
【００５４】
なお、本実施例（第１実施例）では、内部抽選に当選して「ＢＢ」又は「ＲＢ」の成立があることを条件（十分条件）として「ＢＢ」又は「ＲＢ」の成立に対する入賞が発生するように構成されているが、必ずしも役成立を入賞発生の十分条件とする必要はない。後述する第２実施例のスロットマシンで説明するが、「ＢＢ」又は「ＲＢ」の成立があってもその成立を必要条件の成立として記憶（ストック）し続け、その後に別の条件が成立した場合（例えば、取得された乱数カウンタ２３ｂの値が特定値であった場合）に、前もって役成立のあった「ＢＢ」又は「ＲＢ」が連続して発生するようにしても良い。
【００５５】
ＢＢ成立フラグ２３ｃ及びＲＢ成立フラグ２３ｄは、「ＢＢ」及び「ＲＢ」に応じたボーナス図柄を有効ライン６ａ〜６ｅ上に揃え得るゲームであることを示すフラグであって、ボーナス成立テーブル２２ａを参照させるためのフラグである。始動操作時に参照された乱数カウンタ２３ｂの値が、「ＢＢ」又は「ＲＢ」を成立させるものであった場合に、成立したボーナス役に対応した成立フラグ２３ｃ，２３ｄがオンされる（図７、Ｓ１４及びＳ１５参照）。一方、「白７」、「赤７」又は「ＢＡＲ」のいずれかが有効ライン６ａ〜６ｅ上に同一図柄で３つ並んで停止した場合、即ち、ボーナス役に入賞した場合、状態フラグ２３ａにボーナスゲーム中を示すデータが書き込まれると共に、入賞したボーナス役に対応した成立フラグ２３ｃ，２３ｄがオフされる（図１０、Ｓ７３参照）。
【００５６】
小役成立フラグ２３ｅは、始動操作時の内部抽選による成立役が小役又はリプレイ役であることを示すためのフラグであり、各役に対応して１つずつ設けられている。この小役成立フラグ２３ｅは、始動操作時に参照された乱数カウンタ２３ｂの値が小役又はリプレイ役の成立を示す値であった場合、即ち、「賽銭箱」、「鈴」、「水瓶」又は「チェリー」用に割り当てられた各値（図３参照）のいずれかであった場合に、その値に対応したフラグがオンされる（図７、Ｓ１９参照）。一方、小役成立フラグ２３ｆは、全てのリールＬ，Ｍ，Ｒの回転が停止したタイミングでオフされる（図１０、Ｓ７５参照）。
【００５７】
なお、「チェリー」については、その役成立があってもストップスイッチ９Ｌの操作タイミング（停止タイミング）如何によっては、「チェリー」図柄が有効ライン６ａ〜６ｅ上に停止しない。左リールＬには、「チェリー」図柄が２つだけ配列されており、適当な操作タイミングでなければメダルの払出が行われない構成となっている。
【００５８】
演出抽選カウンタ２３ｆは、興趣演出の実行抽選に使用するカウンタであり、本実施例では「０〜２５５」まで順に１ずつ加算して更新され、最大値（つまり２５５）に達した後再び「０」に戻される。この演出抽選カウンタ２３ｆの値は、遊技者によってスタートレバー８が操作されてスタートスイッチ８ａのオンが検出された場合（変動開始時）に、後述する変動開始処理において参照され、そのとき参照された値に対応してスロットマシン１に設定された興趣演出を実行するか否かが決定される。なお、興趣演出とは、図柄の変動開始時又はその変動途中でＬＣＤ１６の表示画面に機種毎に設定された文字やキャラクタ等の図柄を現出させたり、スタートレバー８の操作時にスピーカ１７から特別の効果音を出力したり、ストップスイッチ９Ｌ，９Ｍ，９Ｒの停止操作時にランプの点灯パターンを特別のものに変化させたりする等、通常とは異なる状態を発生させて変動停止後に入賞が発生し易い等の特別の状態であることを遊技者に示す演出である。
【００５９】
ここで、本実施例におけるスロットマシン１に設定された興趣演出について説明する。スロットマシン１には、興趣演出として「始動演出」が設定されている。始動演出は、スタートレバー８に対しての始動用の入力操作（始動操作）に関連した演出である。通常時にはスタートレバー８に対する１回の始動操作で図柄の変動が開始されるのに対し、始動演出を伴うゲームにおいてはスタートレバー８に対して３回または４回の始動操作を行うことにより図柄の変動が開始される。通常１回で開始されるはずの変動が、始動演出を伴うゲームにおいては１回では開始されないので、遊技者には通常の状態とは異なる特別の状態であることを認識させることができる。
【００６０】
始動演出は、上記した演出抽選カウンタ２３ｆの値と乱数カウンタ２３ｂの値とに基づいて別々に設定された実行条件が図柄の変動開始時に成立した場合に実行される。なお、実行条件の詳細については、図７以降のフローチャートを参照して後述する。
【００６１】
始動操作カウンタ２３ｇは、始動演出の実行時において図柄の変動開始までに必要な始動操作の回数を記憶するためのカウンタである。この始動操作カウンタ２３ｇには、スタートレバー８が操作されたタイミングで行われる抽選によって始動演出の実行条件が成立した場合に「１」又は「２」が書き込まれ（図７、Ｓ２２及びＳ２３参照）、その後に始動操作が行われる度に「１」ずつ減算される（図８、Ｓ３３参照）。この減算後の始動操作カウンタ２３ｇの値が「０」となった時期（タイミング）が、変動開始に必要な所定数（３回または４回）の始動操作が行われたタイミングであり、このタイミングで図柄の変動が開始される。これにより、始動演出として、スタートレバー８に対して所定数の始動操作を条件として図柄の変動を開始することができる。
【００６２】
入出力ポート２５は、前述した通りＲＯＭ２２及びＲＡＭ２３を内蔵したＭＰＵ２１に接続されると共に、各種のＩ／Ｏ装置と接続されている。具体的には、入出力ポート２５は、投入メダル検出センサ１０ａと、ベットスイッチ１１と、スタートスイッチ８ａと、リール位置検出センサ２７と、左・中・右の各リールＬ，Ｍ，Ｒをそれぞれ回転させるための左・中・右リール用ステッピングモータ２８と、有効ライン表示ランプ７ａ〜７ｃと、メダル枚数表示ランプ１３と、入賞役に応じてメダルの払出動作を行うホッパ駆動モータ２９と、左・中・右の各リールＬ，Ｍ，Ｒの回転を停止させるためのストップスイッチ９Ｌ，９Ｍ，９Ｒと、サブ制御基板Ｓとにそれぞれ接続されている。
【００６３】
サブ制御基板Ｓは、主制御基板Ｃから送信されるコマンドを受信してスピーカ１７から効果音などの出力制御を行うと共に表示用制御基板Ｄを制御してＬＣＤ１６に演出表示などを行わせるものである。このサブ制御基板Ｓには、主制御基板Ｃと、サブ制御基板Ｓから送信されるコマンドを受信してＬＣＤ１６上に演出表示を行う表示用制御基板Ｄと、スピーカ１７と、ランプ１８Ｕとがそれぞれ接続されている。
【００６４】
次に、図６から図１０に示すフローチャートを参照して、主制御基板Ｃで行われる各処理について説明する。図６は、スロットマシン１の電源入後に主制御基板Ｃにおいて実行されるメイン処理のフローチャートである。
【００６５】
メイン処理では、まず、バックアップデータの復元を含む初期化処理を実行し（Ｓ１）、次に、Ｓ２〜Ｓ７の各処理を所定時間毎（例えば、２ｍｓ毎）に繰り返し実行して、遊技の制御を行う。以下に、Ｓ２〜Ｓ７の各処理を説明する。
【００６６】
Ｓ２の処理では、状態フラグ２３ａに基づいて進行中の遊技状態を判断する（Ｓ２）。判断の結果、状態フラグ２３ａの内容が通常ゲーム中を示すものであった場合には（Ｓ２：「通常遊技」）、変動開始処理（Ｓ３）及び変動停止処理（Ｓ４）による通常ゲームに対する処理を実行する。また、状態フラグ２３ａの内容がボーナスゲーム中を示すものであった場合には（Ｓ２：「ボーナス」）、ボーナスゲーム実行処理（Ｓ７）を実行する。更に、状態フラグ２３ａの内容がその他の遊技状態を示すものであった場合には（Ｓ２：「その他」）、Ｓ３，Ｓ４，Ｓ７による各遊技に関する処理をスキップする。
【００６７】
変動開始処理（Ｓ３）では、３枚のメダルが投入（ベット）されている状態でスタートスイッチ８ａがオンされたか否かを判断した上で所定の処理が行われる。即ち、１回のゲームに対しての最大投入数である３枚のメダルが投入されたマックスベット状態でスタートスイッチ８ａがオンされたと判断された場合には、遊技者によりスタートレバー８が所定操作されたものと判断して、その時の乱数カウンタ２３ｂの値等に応じて内部抽選に基づく成立役を選定すると共に、各リールＬ，Ｍ，Ｒの始動（回転）等が実行される。この変動開始処理（Ｓ３）の内容詳細については、図７及び図８を参照して後述する。
【００６８】
変動停止処理（Ｓ４）では、ストップスイッチ９Ｌ，９Ｍ，９Ｒの操作に起因して、回転している各リールＬ，Ｍ，Ｒを、前記変動開始処理（Ｓ３）で設定された成立役に応じた所定位置で停止させる。また、所定位置で停止させた際に予め定められた所定図柄が有効ライン６ａ〜６ｅ上に停止した場合には、その所定図柄に応じた枚数のメダルを払い出す。この変動停止処理（Ｓ４）の内容詳細については、図９及び図１０を参照して後述する。
【００６９】
ボーナスゲーム実行処理（Ｓ７）では、入賞役に対応したビックボーナス（ＢＢ）ゲーム又はレギュラーボーナス（ＲＢ）ゲームに対する制御が行われる。ＢＢゲームの場合、３０回を上限とした小役ゲームと、小役ゲーム中のリプレイ役の入賞を条件に行われるボーナスゲームとが行われる。ＲＢゲームの場合には、ＢＢゲーム中のボーナスゲームに相当するゲームが１回だけ行われる。
【００７０】
カウンタ更新処理（Ｓ５）では、乱数カウンタ２３ｂ、演出抽選カウンタ２３ｆ等の各カウンタの値を更新する。各処理（Ｓ６）では、上記した処理以外の処理を実行するものである。各処理の終了後は、処理をＳ２へ移行して、再び、Ｓ２〜Ｓ７の処理を繰り返し実行する。
【００７１】
図７は、変動開始処理（Ｓ３）のフローチャートである。この変動開始処理（Ｓ３）では、３枚のメダルが投入されたマックスベット状態でスタートスイッチ８ａがオンしたと判断された場合に、その時の乱数カウンタ２３ｂの値に基づいて抽選される成立役に応じて各フラグを設定すると共に、各リールＬ，Ｍ，Ｒを始動させる。
【００７２】
変動開始処理（Ｓ３）では、まず、マックスベットされているか、即ち、３枚のメダルが投入されているか否かを判断する（Ｓ１１）。判断の結果、マックスベットされていれば（Ｓ１１：Ｙｅｓ）、次に、スタートスイッチ８ａのオン信号を検知したか否かを判断する（Ｓ１２）。スタートスイッチ８ａのオン信号を検知していれば（Ｓ１２：Ｙｅｓ）、遊技者によってスタートレバー８の操作が行われたタイミングであり、このタイミングで成立役の抽選として乱数カウンタ２３ｂの値が示す成立役を判断する（Ｓ１３）。
【００７３】
Ｓ１３の処理において、乱数カウンタ２３ｂの値が示す成立役が「ＢＢ」であった場合には（Ｓ１３：「ＢＢ」）、ＢＢ成立フラグ２３ｃをオンし（Ｓ１４）、処理をＳ１６へ移行する。また、Ｓ１３の処理において、乱数カウンタ２３ｂの値が示す成立役が「ＲＢ」であった場合には（Ｓ１３：「ＲＢ」）、ＲＢ成立フラグ２３ｄをオンし（Ｓ１５）、処理をＳ１６へ移行する。
【００７４】
Ｓ１６の処理では、演出抽選カウンタ２３ｆの値が「１２７」以下であるか否かを判断する（Ｓ１６）。その値が「１２７」以下でなければ（Ｓ１９：Ｎｏ）、始動演出の実行抽選に対してはハズレとなり、左・中・右リール用ステッピングモータ２８を駆動して各リールＬ，Ｍ，Ｒを始動させ（Ｓ１７）、更にサブ制御基板Ｓへ通常の開始音を出力させるための通常開始音コマンドを送信して（Ｓ１８）、この変動開始処理（Ｓ３）を終了する。
【００７５】
ここで、演出抽選カウンタ２３ｆは、上述したように「０」から「２５５」の合計「２５６」の値を取りうるものである。このため、Ｓ１６の処理において演出抽選カウンタ２３ｆの値が「１２７」以下となって始動演出の実行条件が成立する確率は、「１２８」を「２５６」で除した「０．５」（即ち２分の１）となる。従って、ビッグボーナス及びレギュラーボーナスが成立したゲームのそれぞれ２分の１の確率で始動演出が実行される。
【００７６】
Ｓ１６の処理において演出抽選カウンタ２３ｆの値が「１２７」以下であれば（Ｓ１６：Ｙｅｓ）、始動演出の実行条件の成立となり、そのときの演出抽選カウンタ２３ｆの値に基づいて始動演出として遊技者に操作を要求する始動操作の回数を抽選する。Ｓ２１の処理において演出抽選カウンタ２３ｆの値が偶数であれば（Ｓ２１：Ｎｏ）始動操作カウンタ２３ｇに「２」を書き込み（Ｓ２２）、この変動開始処理（Ｓ３）を終了する。一方、Ｓ２１の処理において演出抽選カウンタ２３ｆの値が奇数であれば（Ｓ２１：Ｙｅｓ）、始動操作カウンタ２３ｆｇに「３」を書き込み（Ｓ２３）、この変動停止処理を終了する。
【００７７】
ここで、始動操作カウンタ２３ｇの値が更新されて始動演出が実行される場合には、各リールＬ，Ｍ，Ｒを始動させて図柄の変動を開始させる等のＳ１７及びＳ１８の処理がスキップされるので、遊技者がスタートレバー８に対して始動操作をしても図柄の変動が開始されない状況となって、通常とは異なる状態であることを遊技者に認識させることができる。
【００７８】
Ｓ１３の処理において、乱数カウンタ２３ｂの値が示す成立役が「賽銭箱」、「鈴」、「水瓶」又は「チェリー」のいずれかであれば（Ｓ１３：「小役」又は「リプレイ役」）、成立役に対応した小役成立フラグ２３ｅをオンして（Ｓ１９）、処理をＳ２１へ移行する。Ｓ１３の処理においてボーナス役、小役及びリプレイ役のいずれも成立していない「ハズレ」と判断された場合には、いずれの成立フラグ２３ｃ〜２３ｅもオンに更新しないで、処理をＳ２０へ移行する。
【００７９】
Ｓ２０の処理では、演出抽選カウンタ２３ｆの値が「１」以下（即ち「０」又は「１」）か否かを判断し（Ｓ２０）、その値が「１」以下であれば（Ｓ２０：Ｙｅｓ）始動演出の実行条件の成立となり、演出抽選カウンタ２３ｆの値に対応した「２」又は「３」の値を始動操作カウンタ２３ｇに書き込み（Ｓ２１〜Ｓ２３）、この変動開始処理（Ｓ３）を終了する。Ｓ２０の処理は、ボーナス役が成立しなかったゲームの開始時に行われる処理であり、かかるゲームの開始時において１２８分の１の確率で始動演出が実行される。つまり、始動演出の実行条件は、ボーナス役が成立したゲームに対して２分の１の確率で成立する一方、ボーナス役が成立しなかったゲームに対してはその役成立のあったゲームより低確率の１２８分の１の確率で成立するので、始動演出が実行されるとその後にボーナス役の入賞となってボーナスゲームへ遷移する頻度が高められる。よって、始動演出の実行により遊技者に成立役を示唆し、遊技者はその始動演出の実行によりボーナス役への遷移を期待することができる。なお、始動演出の実行条件は、必ずしも上記した確率で成立するように構成する必要はない。始動演出の実行条件が成立する確率を異ならせることにより、その実行頻度と有利な遊技状態への遷移に対する期待の程度を変化させることができる。
【００８０】
Ｓ２０の処理において、演出抽選カウンタ２３ｆの値が「１」以下でなければ（Ｓ２０：Ｎｏ）、処理をＳ１７へ移行する。この場合には通常のスロットマシンと同様、スタートレバー８への１回の始動操作により図柄の変動が開始される。
【００８１】
Ｓ１１の処理においてマックスベットされていない場合（Ｓ１１：Ｎｏ）、及び、Ｓ１２の処理においてスタートスイッチ８ａのオン信号が検知されていない場合には（Ｓ１２：Ｎｏ）、始動演出として３回目のスタートレバー８への始動操作により図柄の変動を開始させるための始動演出処理を実行して（Ｓ３０）、この変動開始処理（Ｓ３）を終了する。
【００８２】
ここで、本実施例のスロットマシン１においては必ず３枚のメダルが投入された状態で１回のゲームを行わせるものであり、３枚のメダルが投入されていない状態においては、成立役の抽選やリールＬ，Ｍ，Ｒを始動させる等のＳ１２〜Ｓ２３の処理は、Ｓ１１の処理によりスキップする。また、スタートスイッチ８のオン信号が検知されてＳ１３以降の処理が行われると、変動開始処理（Ｓ３）の後に行われる各処理（図６、Ｓ６参照）の中でベット数が「０」とされ、ベット数が「０」とされた後に行われる次回の変動開始処理（Ｓ３）においてはＳ１１の処理においてマックスベットされていない状態となる。
【００８３】
図８は、変動開始処理（Ｓ３）の中で行われる始動演出処理（Ｓ２６）のフローチャートである。始動演出処理（Ｓ３０）は、始動演出の実行となって１回目のスタートレバー８に対する始動操作に対してはリールＬ，Ｍ，Ｒの回転をしないで図柄の変動を開始させなかった場合に、その後の始動操作により図柄の変動を開始させる処理である。
【００８４】
まず、始動操作カウンタ２３ｇの値が「１」以上であるか否かを判断し（Ｓ３１）、「１」以上でなければ（Ｓ３１：Ｎｏ）、Ｓ３２以降の処理をスキップして始動演出処理（Ｓ３０）を終了する。始動操作カウンタ２３ｇの値が「１」以上でなければ始動演出の実行条件が不成立の状態であり、始動演出としての変動開始の処理を行う必要がないからである。
【００８５】
Ｓ３１の処理において、始動操作カウンタ２３ｇの値が「１」以上であれば（Ｓ３１：Ｙｅｓ）、スタートスイッチ８ａのオン信号を検知したか否かを判断し（Ｓ３２）、そのオン信号を検知していれば（Ｓ３２：Ｙｅｓ）始動操作カウンタ２３ｇの値を「１」減算してから（Ｓ３３）、ＢＢ成立フラグ２３ｃがオンか否かを判断する（Ｓ３４）。Ｓ３４の処理においてＢＢ成立フラグ２３ｃがオンであれば（Ｓ３４：Ｙｅｓ）処理をＳ３８へ移行する。
【００８６】
Ｓ３４の処理においてＢＢ成立フラグ２３ｃがオフであれば（Ｓ３４：Ｎｏ）、今回のスタートレバー８の操作したタイミングにおける乱数カウンタ２３ｂの値が示す成立役を判断する（Ｓ３５）。Ｓ３５の処理において「ＢＢ」の成立と判断された場合には（Ｓ３５：「ＢＢ」）、ＢＢ成立フラグ２３ｃをオンし（Ｓ３６）、処理をＳ３８へ移行する。一方、「ＲＢ」の成立と判断された場合にはＲＢ成立フラグ２３ｄをオンし（Ｓ３７）、処理をＳ３８へ移行する。ボーナス役の成立でなければ（Ｓ３５：「その他」）、ボーナス成立フラグ２３ｃ，２３ｄの状態を更新しないで処理をＳ３８へ移行する。このＳ３４からＳ３７の処理により、２回目以降にスタートレバー８が操作されたタイミングでも、１回目のボーナス役の成立条件と同一の成立条件に基づいてボーナス役の抽選が行われ、ボーナス役が成立していればボーナス成立フラグ２３ｃ，２３ｄの状態が更新される。よって、複数回のスタートレバー８に対する始動操作に対しての抽選方法を複雑化することができ、本実施例においては１回の始動操作に基づく抽選より遊技者にボーナスゲームへの機会を多くして抽選を多彩なものとすることができる。
【００８７】
なお、Ｓ３４からＳ３７の処理は必ずしも行う必要はなく、省略しても良い。一般にスロットマシンにおいてはスタートレバーに対する始動操作のタイミングで抽選が行われて興趣演出の実行や成立役等が定められるものであり、本実施例のスロットマシン１においてもＳ３４からＳ３７の処理を省略することで従来と同様の抽選方法を踏襲することができる。よって、複数回の始動操作を条件に図柄の変動を開始させる遊技を付加したことに伴って従来とは抽選条件が変化してしまうことを抑制し、従来通りのボーナスゲームの発生確率（役成立率）に従ったスロットマシンを従来と同様の制御で提供することができる。また、Ｓ３５の処理とＳ３６の処理との間にＲＢ成立フラグ２３ｄをオフする処理を設け、ＢＢ成立フラグ２３ｃがオンされたときには、前の始動操作によって成立したレギュラーボーナス（ＲＢ）役があってもそのＲＢ役を無効とし、ＲＢ役に代えてビッグボーナス（ＢＢ）役が成立するように構成しても良い。
【００８８】
Ｓ３８の処理では、Ｓ３３の処理により減算された始動操作カウンタ２３ｇの値が「１」以上であるか否かを判断し（Ｓ３８）、その値が「１」以上であれば（Ｓ３８：Ｙｅｓ）、再度の始動操作を待機する必要があるので、各リールＬ，Ｍ，Ｒの始動も行わずに始動演出処理（Ｓ３０）を終了する。
【００８９】
Ｓ３８の処理において始動操作カウンタ２３ｇの値が「１」未満、即ち「０」であれば（Ｓ３８：Ｎｏ）、スタートレバー８が１回目の始動操作時に選定された所定回数（３回または４回）操作されたタイミングである。この場合には、左・中・右リール用ステッピングモータ２８を駆動して各リールＬ，Ｍ，Ｒを始動させ（Ｓ３９）、ＢＢ成立フラグ２３ｃ又はＲＢ成立フラグ２３ｄがオンであるか否かを判断し（Ｓ４０）、いずれかのフラグ２３ｃ，２３ｄがオンであれば（Ｓ４０：Ｙｅｓ）、サブ制御基板Ｓへ特別開始音コマンドを送信してから（Ｓ４１）、始動演出処理（Ｓ３０）を終了する。一方、Ｓ４０の処理においていずれのボーナス成立フラグ２３ｃ，２３ｄもオンでなければ（Ｓ４０：Ｎｏ）、サブ制御基板Ｓへ通常開始音コマンドを送信してから（Ｓ４２）、始動演出処理（Ｓ３０）を終了する。
【００９０】
また、Ｓ３２の処理において、スタートスイッチ８ａのオン信号を検知していなければ（Ｓ３２：Ｎｏ）、遊技者による２回目以降の始動操作を待機した状態であるので、始動操作カウンタ２３ｇの値を更新せず、また各リールＬ，Ｍ，Ｒの始動も行わずに始動演出処理（Ｓ２６）を終了する。
【００９１】
ここで、サブ制御基板Ｓは、特別開始音コマンドを受信した場合には、リールの変動を開始させるタイミングで、通常開始音コマンドを受信した場合より高い音程の「ピローン」という変動開始の効果音をスピーカ１７により出力する。Ｓ４１の処理によりいずれかのボーナス成立フラグ２３ｃ，２３ｄがオンである場合に限って特別開始音コマンドは送信されるので、始動演出における３回目の始動操作時に特別開始音が伴った場合には必ずボーナス役が成立していることとなり、遊技者にボーナス役の成立を前もって確信できる遊技性を付加することができる。なお、必ずしもいずれかのボーナス成立フラグ２３ｃ，２３ｄがオンである場合に限って特別開始音コマンドが送信されるように構成する必要はなく、Ｓ４０からＳ４２の処理を省略して始動演出の実行時における変動開始時には必ず特別開始音コマンドが送信されるようにしても良い。
【００９２】
図９は、変動停止処理（Ｓ４）のフローチャートである。この変動停止処理（Ｓ４）では、ストップスイッチ９Ｌ，９Ｍ，９Ｒに対する停止操作に起因して、各リールＬ，Ｍ，Ｒの回転を、前記変動開始処理（Ｓ３）で選定された成立役に対応した停止位置で停止させるための処理である。
【００９３】
この変動停止処理（Ｓ４）では、まず、少なくとも１のリールＬ，Ｍ，Ｒが回転しているか否かを判断する（Ｓ５１）。判断の結果、いずれのリールＬ，Ｍ，Ｒも停止していれば（Ｓ５１：Ｎｏ）、図柄の変動開始待ちの状態であるので、この変動停止処理（Ｓ４）を終了する。一方、少なくとも１のリールＬ，Ｍ，Ｒの回転中であれば（Ｓ５１：Ｙｅｓ）、図柄の変動中であるので、次に、回転中のリールＬ，Ｍ，Ｒに対応したストップスイッチ９Ｌ，９Ｍ，９Ｒのオン信号を検知したか否かを判断する（Ｓ５２）。
【００９４】
Ｓ５２の処理においてストップスイッチ９Ｌ，９Ｍ，９Ｒのオン信号を検知していないと判断されると（Ｓ５２：Ｎｏ）、ストップスイッチ９Ｌ，９Ｍ，９Ｒに対する停止操作を待機している状態を継続する必要があるので、リールＬ，Ｍ，Ｒをそのまま回転させておくためにＳ５３以降の処理をスキップして、変動停止処理（Ｓ４）を終了する。
【００９５】
一方、回転中のいずれかのリールＬ，Ｍ，Ｒに対応したストップスイッチ９Ｌ，９Ｍ，９Ｒのオン信号を検知したと判断されると（Ｓ５２：Ｙｅｓ）、遊技者によって回転中のリールＬ，Ｍ，Ｒに対する停止操作が行われたタイミングである。この場合には、ＢＢ成立フラグ２３ｃ又はＲＢ成立フラグ２３ｄがオンか否かを判断し（Ｓ５３）、いずれかのボーナス成立フラグ２３ｃ，２３ｄがオンされていれば（Ｓ５３：Ｙｅｓ）、同一のボーナス図柄を有効ライン６ａ〜６ｅ上に揃わせるために、オンとなっているフラグ２３ｃ，２３ｄに対応したボーナス成立テーブル２２ａに従って停止操作のあったリールを停止させ（Ｓ５４）、処理をＳ６１へ移行する。
【００９６】
Ｓ５３の処理において、ＢＢ成立フラグ２３ｃとＲＢ成立フラグ２３ｄとのいずれもオンされていなければ（Ｓ５３：Ｎｏ）、次に、リプレイ役を含むいずれかの小役成立フラグ２３ｅがオンされているか否かを判断する（Ｓ５５）。いずれかの小役成立フラグ２３ｅがオンされていれば（Ｓ５５：Ｙｅｓ）、オンされている小役成立フラグ２３ｅに対応した小役成立テーブル２２ｂに従って停止操作のあったリールを停止させ（Ｓ５６）、処理をＳ６１へ移行する。一方、いずれの小役成立フラグ２３ｅもオンされていなければ（Ｓ５５：Ｎｏ）、最小移動ハズレテーブル２２ｃに従って各リールＬ，Ｍ，Ｒを停止させ（Ｓ５７）、処理をＳ６１へ移行する。
【００９７】
Ｓ６１の処理では、停止操作されたリールが何番目のリール停止であるかを判断する（Ｓ６１）。１番目又は２番目のリール停止であれば（Ｓ６１：「１番目」又は「２番目」）、Ｓ６２の処理を行わずに、この変動停止処理（Ｓ４）を終了する。また、Ｓ６１の処理において、３番目のリール停止であれば（Ｓ６１：「第３番目」）、全てのリールＬ，Ｍ，Ｒが停止したタイミングであるので、ボーナス役や小役等の入賞判定およびその判定に基づく処理を行う入賞判定処理を実行してから（Ｓ６２）、この変動停止処理（Ｓ４）を終了する。
【００９８】
図１０は、変動停止処理（Ｓ４）の中で実行される入賞判定処理（Ｓ６２）のフローチャートである。入賞判定処理（Ｓ６２）では、まず、ボーナス役（「ＢＢ」又は「ＲＢ」）の入賞か確認する（Ｓ７１）。ボーナス役の入賞であれば（Ｓ７１：Ｙｅｓ）、入賞したボーナス役に対応したデータを状態フラグ２３ａに書き込み（Ｓ７２）、そのボーナス役に対応したボーナス成立フラグ（ＢＢ成立フラグ２３ｃ又はＲＢ成立フラグ２３ｄのいずれか）をオフする（Ｓ７３）。その後、入賞役に対応した枚数のメダルを払い出すメダル払出処理を行ってから（Ｓ７４）、小役成立フラグ２３ｅをオフして（Ｓ７５）、この入賞判定処理（Ｓ７７）を終了する。一方、Ｓ７１の処理において、ボーナス役の入賞でないことが確認された場合には（Ｓ７１：Ｎｏ）、小役成立フラグ２３ｅのオフのみを行って（Ｓ７５）、入賞判定処理（Ｓ６５）を終了する。
【００９９】
ここで、Ｓ７５の処理によって小役成立フラグ２３ｅは各ゲーム毎にオフされる一方、ボーナス成立フラグ２３ｃ，２３ｄはボーナス役の入賞がなければオフされることがない。これにより、ボーナス役の成立があった場合にボーナス役の入賞がなくてもボーナス役成立による価値の付与は次回のゲームに持ち越され、小役に比べて低確率で成立するボーナスゲームによる利益を遊技者が確実に享受できるようになっている。
【０１００】
次に、上記したスロットマシン１における遊技内容について図１を主に参照して説明する。遊技者は、まず、３枚のメダルをメダル投入口１０より投入するか、又はクレジットされたメダルをベットスイッチ１１を押下してマックスベット状態としてからスタートレバー８を傾倒して始動操作を行う。
【０１０１】
マックスベット状態におけるスタートレバー８に対する始動操作は、主制御基板Ｃによって抽選条件の成立として検出され（図７、Ｓ１１：Ｙｅｓ、Ｓ１２：Ｙｅｓ）、乱数カウンタ２３ｂを使用した成立役の抽選が行われた後、リールＬ，Ｍ，Ｒが回転して図柄の変動が開始される。ここで、図柄の変動開始から４．１秒が経過するまでには、図示しない停止操作を無効とする処理があり、停止操作をしても変動が停止しない期間がある。
【０１０２】
変動開始から４．１秒の経過後に遊技者がストップスイッチ９Ｌ，９Ｍ，９Ｒを押下して停止操作を行うと、その操作に起因して主制御基板Ｃの変動停止処理（図９参照）によりステッピングモータ２８によるリールの回転が停止させられ、図柄の変動が停止する。ストップスイッチ９Ｌ，９Ｍ，９Ｒに対する停止操作により、フロントパネル３の有効ライン６ａ〜６ｅ上に停止する図柄は、主制御基板ＣのＲＯＭ２２に記憶される停止位置決定テーブル２２ａ〜２２ｃにより乱数カウンタ２３ｂによる成立役の抽選結果に基づいて制御され、いずれかの有効ライン６ａ〜６ｅ上にボーナス役又は小役の入賞を示す図柄が停止すると、遊技者への遊技価値の付与としてメダルがメダル排出口１４より払い出されたり、クレジットメダルの残数が加算される。
【０１０３】
ここで、マックスベット状態におけるスタートレバー８に対する始動操作時には、始動演出の実行抽選が行われる。具体的には、主制御基板Ｃの制御により、スタートレバー８に対しての始動操作によるスタートスイッチ８ａのオン信号を検知した場合に（図７、Ｓ１２：Ｙｅｓ）、成立役の抽選と共にその抽選によりボーナス役が成立したか否かに応じた別々の条件に基づいて始動演出の実行条件が成立したか否かが判断される。始動演出の実行条件が成立していないと判断されると、スタートレバー８に対する１回の始動操作が行われることを条件に図柄の変動が開始させられる。
【０１０４】
一方、始動演出の実行条件が成立していると判断されると、始動操作カウンタ２３ｇに「２」又は「３」が書き込まれ、図８に示す始動演出処理（Ｓ３０）によりスタートレバー８に対する始動操作が合計３回又は合計４回行われることを条件に図柄の変動が開始させられる。始動演出の実行条件は、成立役の抽選結果に応じて切り替えられるので、図柄の変動開始に必要となるスタートレバー８に対しての始動操作の回数と成立役（本実施例においてはボーナス役の成立）とが対応したものとなる。
【０１０５】
始動演出の実行となった場合、遊技者は、マックスベット状態での１回目のスタートレバー８に対する始動操作により変動が開始しないことを認識する。このとき、遊技者は、スタートレバー８に対する始動操作をミスしたかと思い、２回目の始動操作を１回目より特に意識して実行する。それでも変動が開始されないことにより通常とは異なる状態であることを意識しつつ遊技者が３回目又は４回目の始動操作を行うと、変動が開始される。変動の開始後には高確率でボーナス役の入賞となってメダルの払い出しが行われるので、遊技者は、自らの動作を繰り返したことが１種の興趣演出であったことを認識する。通常のゲームとは異なり自らの動作（始動操作）を繰り返すことを手掛かりにしてボーナス役の入賞を期待させるので、興趣演出の実行を見逃しにくくすることができる。
【０１０６】
また、始動演出として複数回の始動操作があることを知った遊技者は、１回目の始動操作の時点で、始動操作のミスなのか、或いは始動演出であってボーナス役の成立が期待できる始動演出を伴うゲームなのかを意識する。即ち、２回目の始動操作で変動が開始されなければ始動演出であってボーナス役の入賞が期待できるので、変動が開始されないことを願いつつ２回目の始動操作を行う。２回目の始動操作後においても変動が開始されなければ、始動演出を伴うゲームであることを確信し、ボーナス役の入賞を期待しながら最後の３回目の始動操作を行って遊技を開始する。逆に２回目の始動操作で変動が開始された場合には、始動演出を伴わないゲームであってボーナス役の入賞に対する期待が持てない通常のゲームであることを認識し、遊技者は落胆する。このように２回目の始動操作の直後に変動が開始されるか、開始されないかによって、ボーナス役の入賞に対しての遊技者の期待感は全く異なる。このため、２回目の始動操作は、その後に還元される利益を左右する緊張感の高まるときとなる。よって、遊技者にとって意識を集中した熱のこもるポイントを意図的に生じさせることができ、遊技の面白みが増すのである。
【０１０７】
特に、スタートレバー８に対して行う始動操作は、遊技をする上で毎回行うものであり、この始動操作の回数がボーナス役の成立に対応付けられて変化する。よって、遊技をする上での自らの動作の変化により通常の状態とは異なる特別の状態となっていることを遊技者に判りやすく示すことができ、遊技に不慣れな遊技者であっても興趣演出の実行を判りやすく認識することができるのである。
【０１０８】
また、主制御基板Ｃは、始動演出処理（図８参照）によって図柄の変動を開始させる場合には、図８のＳ３５からＳ３７の処理によって２回目以降の始動操作の実行を検出したタイミングにおける乱数カウンタ２３ｂの値に基づいてボーナス役成立フラグ２３ｃ，２３ｄをオンする抽選（ボーナス抽選）を行う。このため、１回目の始動操作のタイミングに基づいて行われる抽選（図７のＳ１３の処理）とは異なる抽選結果が複数回の始動操作によって生じ得ることとなり、スタートレバー８に対して行う始動操作の回数が抽選手段の抽選結果に対応して変化する。一方、多量のメダルが払い出される条件としてのボーナス役の成立を示す図柄を有効ライン６ａ〜６ｅ上へ停止させる制御は、ボーナス役成立フラグ２３ｃ，２３ｄの状態に対応して図９に示す変動停止処理（Ｓ４）によって行われるので、遊技価値の付与としてメダルが払い出されるのもボーナス抽選の結果に対応する。よって、始動操作の回数が多い始動演出を伴うゲームにおいては、１回のベットにより行われる１回のゲームにおいて２回以上のボーナス抽選が行われることとなり、ボーナスゲームへ移行する機会が多くなる。従って、複数回の始動操作による遊技ではボーナス役成立の機会が多くなり、始動演出による遊技の面白みを高めることができる。
【０１０９】
ここで、近年には、スロットマシンを代表とする各種の遊技機の制御内容も遊技者が遊技を行う遊技機を選択する上で重要な要素となっており、遊技機メーカーや出版社からは各種の制御内容が公表されている。このため、複数回の始動操作に対してそれぞれ抽選が行われるという抽選方法を知る遊技者にとっては、２回目以降の始動操作のタイミングもボーナスゲームを獲得するための重要な操作として緊張感を抱かせることができる。よって、繰り返して行う始動操作を単なる消化作業的なものとせず、遊技価値に関連した始動操作として遊技者に緊張感を抱かせることができ、遊技に対しての参加意識を高めることができる。
【０１１０】
また、１回目と２回目以降の始動操作のうち、いずれか１回でも乱数カウンタ２３ｂの値がボーナス役の成立を示すタイミングで行われることを条件としてボーナスゲームへ遊技状態が遷移する。よって、本実施例のスロットマシン１には、変動開始に対する最初の始動操作によってボーナスゲームへ遷移する従来通りの遊技性を付加しつつ、２回目以降の始動操作に対しても同一種類のボーナスゲームへの遷移を遊技者に期待させることができ、多彩な遊技性を付加して遊技の興趣を高めることができる。
【０１１１】
更に、最初の始動操作に対する乱数カウンタ２３ｂの値を判断する図７のＳ１３の処理と、２回目以降の始動操作に対する乱数カウンタ２３ｂの値を判断する図８のＳ３５の処理とは、各ボーナス役の成立に対して同一条件に従って行われ、ボーナス成立フラグ２３ｃ，２３ｄをオンへ切り替えてボーナスゲームへ遷移させる条件が最初の始動操作に対しても２回目以降の始動操作に対しても同一とされている。よって、２回目以降の始動操作に対する抽選の制御においては、最初の始動操作に対する抽選の制御を完全に流用することができ、複数回の始動操作のタイミングに対応した抽選を行う場合における制御プログラムの開発を簡易にし、また同一処理を繰り返してプログラムやテーブル等を記憶する装置の要求性能を低下させることもできる場合が生じる。従って、複数回の始動操作に伴って抽選を行う場合におけるコストの増加を抑制することができる。
【０１１２】
また、本実施例のスロットマシン１では、最初の始動操作の実行を検出したタイミングにのみ基づいて図７の変動開始処理（Ｓ３）によって変動開始に必要とする始動操作の回数を１回、３回および４回に変化させる。このため、始動操作の回数は、最初の始動操作が行われたタイミングに基づいて定められ、２回目以降の始動操作時においては始動操作の回数の決定に対する制御が不要になる。よって、１回毎に始動操作の回数増加に対する抽選を行う場合に比較して、２回目以降の始動操作時に必要となる制御を簡易にしつつ始動操作の回数が複数種類に変化する遊技性を付加することができる。
【０１１３】
更に、始動演出を伴うゲームにおいて変動開始に必要とする始動操作の回数は、３回と４回との２種類の中から図７のＳ２１の処理によって選定されるので、２種以上の複数回の始動操作を条件として図柄の変動が開始される。本実施例のスロットマシン１においては始動操作の回数が多いほどボーナスゲームへ遷移する機会が高まるために、単に１回か、３回かといった意識だけでなく、変動開始に必要とされる始動操作の回数に対しても遊技者の意識を向けさせることができ、複数回の始動操作に対してボーナスゲームへの遷移に対する抽選が行われる遊技性を引き立てることができる。
【０１１４】
また、本実施例のスロットマシン１には、始動演出において３回の始動操作によって図柄の変動が開始させられる場合が設定されている。３回の始動操作に基づいて図柄の変動を開始させるのは、１回目の始動操作により変動が開始しないことを遊技者に認識させ、２回目の始動操作により遊技者に操作回数の増加を意識的に確認させ、その後に変動が継続した場合には最後の３回目の始動操作によってボーナス役の入賞に対しての期待感を高め、その後に停止操作を行って遊技者の意図する図柄の停止を狙わせることができる。
【０１１５】
ここで、ボーナス役等の役成立を停止図柄により示すいわゆるリーチ目等においては、１回のゲームの停止図柄によりボーナス役の成立を確認させてその後に更なるメダルの投入を必要としてボーナス役の入賞が発生する。これに対し、スロットマシン１においては、１回のゲームの中で、ボーナス役の成立の確認と、ボーナス役を狙う遊技とを行わせることができるので、メダルの消費を伴う遊技者にとって無駄となってしまうゲームを少なくし、遊技者の不満感を軽減することができる。
【０１１６】
なお、本実施例においては、始動演出としての変動を開始させるために必要とする始動操作の回数は、１回、３回および４回としたが、これらの回数に始動操作の回数が限定されるものでなく、又、その種類も更に多く４種以上としたり、逆に少なくしても良い。
【０１１７】
また、１回目と２回目以降の始動操作のうち、いずれか１回でも乱数カウンタ２３ｂの値が「賽銭箱」や「水瓶」等の小役の成立を示すタイミングで行われることを条件としてその小役を成立させるようにしても良く、図７に示すＳ１９の処理を図８のＳ３５の処理後に行うようにし、２回目以降の始動操作によっても小役成立フラグ２３ｅがオンに切り替わるように構成しても良い。この場合には、最初の始動操作に対する乱数カウンタ２３ｂの値を判断する図７のＳ１３の処理と、２回目以降の始動操作に対する乱数カウンタ２３ｂの値を判断する図８のＳ３５の処理とは各小役の成立に対して同一条件に従って行われることが好ましいが、別々の条件を設定して判断を行っても良い。
【０１１８】
ここで、２回目以降の始動操作によっても小役を成立させると、１回のゲームで複数種の役が成立することも生じ得る。この場合には、成立した役のうち最も価値の高い役（例えば、複数の小役が成立した場合にはメダルの払出数の多い１種の小役）を成立させることが好ましい。メダルの払出数とその後の遊技状態とを含めた遊技価値に従って「ＢＢ」、「ＲＢ」、「賽銭箱」、「鈴」、「チェリー」、「水瓶」の順に予め順序づけし、成立した複数の役のうち最も遊技における価値の高い役の入賞を示す停止図柄を有効ライン上に停止させてその役に対応したメダルを払い出す等の制御を主制御基板Ｃに行わせるのである。最も価値の高い役を成立役とすることで、遊技者には当選のあった役に対する最高分の利益を還元することができ、抽選方法を知る遊技者にとって好まれ易い遊技性を付加することができる。
【０１１９】
次に、図１１から図１５を参照して、第２実施例について説明する。上記した第１実施例では、変動開始に必要とする始動操作の回数をゲームの最初にスタートスイッチ８ａのオン信号を検知した最初の始動操作のタイミングで決定した。これに対し、第２実施例では、変動開始に必要とする始動操作の回数を最初の始動操作のタイミングだけでなく２回目の始動操作のタイミングにも抽選して決定するものである。また、上記した第１実施例では、１回目のボーナス役の成立抽選の条件と２回目以降のボーナス役の成立抽選の条件とを同一条件にして抽選が行われるように構成したが、第２実施例では、１回目の抽選と２回目以降の抽選とを別々の条件に基づいて行うように構成している。以下、第１実施例と同一の部分には同一の符号を付してその説明は省略し、異なる部分のみについて説明する。
【０１２０】
図１１は、第２実施例のスロットマシンの電気的構成を模式的に示した図である。第１実施例のスロットマシン１に対して主制御基板ＣのＲＯＭ１２２とＲＡＭ１２３との一部が異なり、他は第１実施例のスロットマシン１と同一の構成である。第２実施例における主制御基板ＣのＲＯＭ１２２には、図１２から図１５に示すフローチャートのプログラムが記憶されている。第１実施例のプログラムに対する変更内容については図１２以降を参照して後述する。
【０１２１】
主制御基板ＣのＲＡＭ１２３には、第１実施例におけるＲＡＭ２３と同一のフラグ２３ａ，２３ｃ〜２３ｅ及び乱数カウンタ２３ｂに加えて、演出抽選カウンタ１２３ｆと、ステップカウンタ１２３ｇと、放出抽選カウンタ１２３ｈと、ボーナス蓄越メモリ１２３ｉと、チャンス残数カウンタ１２３ｊとが設けられている。
【０１２２】
演出抽選カウンタ１２３ｆは、第１実施例の演出抽選カウンタ２３ｆと同様、興趣演出の実行抽選に使用するカウンタであり、第１実施例の演出抽選カウンタ２３ｆに対して更新される上限値が異なるものである。第２実施例の演出抽選カウンタ１２３ｆは、図６に示すカウンタ更新処理（Ｓ５）によって「０〜９９」まで順に１ずつ加算して更新され、最大値（つまり９９）に達した後再び「０」に戻される。
【０１２３】
ステップカウンタ１２３ｇは、始動演出の実行時における始動操作の回数を記憶するためのカウンタである。ステップカウンタ１２３ｇの値は、１回のゲームにおいてスタートレバー８が最初に操作されたタイミングで行われる抽選によって始動演出の実行条件が成立すると「１」が書き込まれ、２回目の始動操作のタイミングで行われる抽選によって更に３回目の始動操作を要求する場合に「２」が書き込まれる。また、始動演出の実行条件が成立した後に図柄の変動が開始されるタイミングで、ステップカウンタ１２３ｇの値は「０」とされる。
【０１２４】
放出抽選カウンタ１２３ｈは、ボーナス役の成立に基づいてボーナスゲームを開始させる（ボーナスゲームを放出する）か否かを抽選するためのカウンタであり、図６に示すカウンタ更新処理（Ｓ５）によって「０〜５」の範囲内で順に１ずつ加算して更新され、最大値（つまり５）に達した後再び「０」に戻される。第２実施例のスロットマシンは、乱数カウンタ２３ｂの値に基づいた抽選（内部抽選）に当選して「ＢＢ」又は「ＲＢ」のボーナス役が成立しても、一旦、その「ＢＢ」又は「ＲＢ」の成立に対する入賞の発生がずらされる（蓄越される）ものである。始動演出の実行条件が成立して３回目の始動操作が行われる場合にそのタイミングで取得された放出抽選カウンタ１２３ｈの値が特定の値（「２」以下）であったとき、ずらされた順番に従って「ＢＢ」又は「ＲＢ」のボーナスゲームへ移行する。
【０１２５】
ボーナス蓄越メモリ１２３ｉは、ずらされた「ＢＢ」又は「ＲＢ」の数及び順序を記憶するためのメモリである。最初の始動操作のタイミングで取得された乱数カウンタ２３ｂの値が「ＢＢ」又は「ＲＢ」を示す値であった場合に、そのボーナスに応じた値（「ＢＢ」の場合は「２」、「ＲＢ」の場合は「１」）が順番にこのボーナス蓄越メモリ１２３ｉに書き込まれる（図１２、Ｓ１０１及びＳ１０２参照）。逆に、始動演出における３回目の始動操作のタイミングで取得された放出抽選カウンタ１２３ｈの値が「２」以下であった場合には、ボーナス蓄越メモリ１２３ｉの先頭に記憶されているデータに応じたいずれかのボーナス役成立フラグ２３ｃ，２３ｄがオンされると共に、ボーナス蓄越メモリ２３ｃに記憶されているデータを１つずつ先頭側へずらして、先頭に記憶されているデータが消去される（図１４参照）。このため、始動演出における３回目の始動操作に基づく抽選に当選した後には、それまでの遊技において「ＢＢ」又は「ＲＢ」が成立した順に遊技者へＢＢゲーム又はＲＢゲームが付与される。
【０１２６】
チャンス残数カウンタ１２３ｊは、ボーナスゲーム終了後に行われた始動演出を伴う変動（ゲーム）の回数が所定数以下であるか否かを記憶するためのカウンタである。このチャンス残数カウンタ１２３ｊには、ボーナス役の入賞があった場合に「５」が書き込まれる（図１５、Ｓ１４１参照）。このチャンス残数カウンタ１２３ｊが「１」以上である期間中には、始動演出の実行条件が他の期間より高確率で成立し、その始動演出の実行条件が成立する毎にチャンス残数カウンタ１２３ｊの値は「１」ずつ減算される。これにより、ボーナスゲーム終了後には、５回の始動演出が実行されるまで始動演出の実行条件が高確率で成立する。遊技者には、ボーナスゲーム終了後に特に始動演出の実行に伴う複数回の始動操作に対しての期待感を抱かせることができ、遊技者が抱く期待感に起伏を設けて単調な遊技性を払拭することができる。
【０１２７】
次に図１２を参照して、変動開始処理（Ｓ１００）について説明する。この変動開始処理（Ｓ１００）は、第１実施例の変動開始処理（Ｓ３）に代えて主制御基板Ｃのメイン処理の中で行われるものであり、第１実施例の変動開始処理（Ｓ３）に対してＳ１０１からＳ１０８までの処理と始動演出処理（Ｓ１２０）とが異なる。
【０１２８】
Ｓ１３の処理において乱数カウンタの値が示す成立役が「ＢＢ」又は「ＲＢ」である場合には、その成立役に対応したデータをボーナス蓄越メモリ１２３ｉのデータの末尾に付加する。具体的には、「ＢＢ」の成立であれば（Ｓ１３：「ＢＢ」）ボーナス蓄越メモリ１２３ｉに記憶されたデータの末尾に「２」を付加し（Ｓ１０１）、「ＲＢ」の成立であれば（Ｓ１３：「ＲＢ」）ボーナス蓄越メモリ１２３ｉのデータの末尾に「１」を付加する。Ｓ１３の処理において「小役」又は「リプレイ役」の成立と判断されると（Ｓ１３：「小役」又は「リプレイ役」）、成立役に対応した小役成立フラグ２３ｅをオンし（Ｓ１０３）、「ハズレ」と判断されると（Ｓ１３：「ハズレ」）Ｓ１０１からＳ１０３の処理をスキップする。
【０１２９】
Ｓ１０４の処理では、チャンス残数カウンタ１２３ｊの値が「１」以上か否かを判断し（Ｓ１０４）、「１」以上でなければ（Ｓ１０４：Ｎｏ）演出抽選カウンタ１２３ｆの値が「７」か判断する（Ｓ１０７）。そして、その値が「７」である場合に限って始動演出の実行条件の成立としてステップカウンタ１２３ｇに「１」を書き込み（Ｓ１０８）、その後にＳ１２０の処理の中で２回目以降の始動操作に基づいて変動を開始させる。演出抽選カウンタ１２３ｆの値は「０〜９９」の範囲で１００個の値を取りうるので、その値が「７」となる確率は１００分の１であり、通常時には１００分の１の確率で始動演出の実行条件が成立する。Ｓ１０７の処理において演出抽選カウンタ１２３ｆの値が「７」以外の値であると判断されると（Ｓ１０７：Ｎｏ）、Ｓ１７以降の処理によって１回の始動操作に基づいて変動を開始させる。
【０１３０】
Ｓ１０４の処理においてチャンス残数カウンタ１２３ｊの値が「１」以上であると判断された場合には（Ｓ１０４：Ｙｅｓ）、演出抽選カウンタ１２３ｆの値が「１９」以下か否かを判断し（Ｓ１０５）、その値が「１９」以下でないと判断されると（Ｓ１０５：Ｎｏ）、Ｓ１７以降の処理によって１回の始動操作に基づいて変動を開始させる。
【０１３１】
一方、Ｓ１０５の処理において演出抽選カウンタ１２３ｆの値が「１９」以下であると判断されると（Ｓ１０５：Ｙｅｓ）、始動演出の実行条件の成立となる。１００個の値を取りうる演出抽選カウンタ１２３ｆの値が「１９」以下となるのは「０」を含めて２０個あるので、５分の１の確率で始動演出の実行条件が成立する。チャンス残数カウンタ１２３ｊの値はボーナスゲーム後の一定期間に「１」以上とされるので、ボーナスゲーム後には始動演出の実行条件が成立し易く、また３回目の始動操作のタイミングにおける抽選に当選した場合にボーナスゲームへ遊技状態が移行するので、始動演出の実行条件の成立し易さに対応してボーナスゲームへ遊技状態が移行しやすくなり、ボーナスゲームが連続して発生し易い遊技性を付加することができる。
【０１３２】
図１３は、図１２の変動開始処理（Ｓ１００）の中で行われる始動演出処理（Ｓ１２０）のフローチャートである。この始動演出処理（Ｓ１２０）では、スタートスイッチ８ａのオン信号を検知したタイミングで、ステップカウンタ１２３ｇの値に応じた処理を行わせるものである。
【０１３３】
まず、スタートスイッチ８ａのオン信号を検知したか否かを判断し（Ｓ１２１）、そのオン信号を検知していなければこの処理を終了する。一方、オン信号を検知していれば（Ｓ１２１：Ｙｅｓ）、ステップカウンタ１２３ｇの値に応じた各処理を行う。
【０１３４】
Ｓ１２２の処理でステップカウンタ１２３ｇの値が「０」と判断された場合には（Ｓ１２２：「０」）、始動演出の実行条件が成立したゲームではないので、２回目以降の始動操作の実行を無視すべくＳ１２３以降の処理をスキップして本処理を終了する。
【０１３５】
Ｓ１２２の処理でステップカウンタ１２３ｇの値が「１」と判断された場合には（Ｓ１２２：「１」）、放出抽選カウンタ１２３ｈの値が「１」以下か否かを判断し（Ｓ１２３）、「１」以下であれば（Ｓ１２３：Ｙｅｓ）、３回の始動操作を伴う始動演出の実行条件が成立したとしてステップカウンタ１２３ｇの値に「２」を書き込み（Ｓ１２４）、この処理を終了する。放出抽選カウンタ１２３ｈは「０〜５」までの６個の値を取りうるものであり、その値が「１」以下となるのは「０」と「１」の２個であるので、２回目の始動操作のタイミングでは２個を６個で除した３分の１の確率で３回の始動操作を伴う始動演出の実行条件が成立することとなる。
【０１３６】
一方、Ｓ１２３の処理において放出抽選カウンタ１２３ｈの値が「１」以下でない（即ち「２」以上）と判断されると（Ｓ１２３：Ｎｏ）、サブ制御基板Ｓへ通常開始音コマンドを送信して通常の開始音を出力させると共に（Ｓ１２５）、ステップカウンタ１２３ｇの値を「０」とし（Ｓ１２６）、更に図柄の変動を開始をさせる（Ｓ１２７）。通常の開始音を伴って２回目の始動操作で変動が開始され、遊技者は、３回目の始動操作の機会が今回のゲームにはなく、ボーナスゲームへの抽選に落選したことを認識する。
【０１３７】
Ｓ１２２の処理でステップカウンタ１２３ｇの値が「２」と判断された場合には（Ｓ１２２：「２」）、放出抽選カウンタ１２３ｈの値が「２」以下であるか判断し（Ｓ１２８）、その値が「２」以下でない（即ち「３」以上）と判断されると（Ｓ１２８：Ｎｏ）、処理をＳ１２５へ移行する。通常の開始音を伴って３回目の始動操作で変動が開始され、遊技者は、３回目の始動操作の機会が今回のゲームにはあったものの、ボーナスゲームへの抽選には落選したことを認識する。
【０１３８】
Ｓ１２８の処理で放出抽選カウンタ１２３ｇの値が「２」以下であると判断されると（Ｓ１２８：Ｙｅｓ）、蓄越されたボーナス役の放出抽選に当選したとしてボーナスゲームへの移行を設定するボーナス設定処理を行う（Ｓ１２９）。
６個の値を取りうる放出抽選カウンタ１２３ｈの値が「２」以下となるのは「０」，「１」，「２」の３個であるので、３回目の始動操作のタイミングにおけるボーナスゲームへの移行条件は、３個を６個で除した２分の１の確率で成立することとなる。その後、Ｓ１２６の処理へ移行して３回目の始動操作のタイミングで図柄の変動を開始させる。
【０１３９】
次に、図１４を参照して、ボーナス設定処理（Ｓ１２９）について説明する。図１４は、図１３の始動演出処理（Ｓ１２０）の中で行われるボーナス設定処理（Ｓ１２９）のフローチャートである。ボーナス設定処理（Ｓ１２９）では、まず、ＢＢ成立フラグ２３ｃ又はＲＢ成立フラグ２３ｄのいずれかが既にオンされているか否かを判断する（Ｓ１３１）。確認の結果、ＢＢ成立フラグ２３ｃとＲＢ成立フラグ２３ｄとが共にオンされていない場合には（Ｓ１３１：Ｎｏ）、次に、ボーナス蓄越メモリ１２３ｉの先頭に記憶されているデータを確認する（Ｓ１３２）。
【０１４０】
確認の結果、ボーナス蓄越メモリ１２３ｉの先頭に記憶されているデータが「２」である場合には（Ｓ１３２：「２」）、最初に成立して未だ付与されていないボーナス役は、「ＢＢ」である。このため、「ＢＢ」の成立を示すＢＢ成立フラグ２３ｃをオンし（Ｓ１３３）、ボーナス蓄越メモリ１２３ｉのデータを小さいアドレス側へそれぞれ１バイトずつシフトして先頭のデータを消去し（Ｓ１３５）、更にサブ制御基板Ｓへ特別開始音コマンドを送信して、このボーナス設定処理（Ｓ１２９）を終了する。これにより、特別開始音を伴って３回目の始動操作で変動が開始され、遊技者は、３回目の始動操作によってボーナスゲームへの移行が確定したことを認識する。
【０１４１】
一方、ボーナス蓄越メモリ１２３ｉの先頭に記憶されているデータが「１」であった場合には（Ｓ１３２：「１」）、最初に成立して未だ付与されていないボーナス役が「ＲＢ」である。この「ＲＢ」を付与するために、ＲＢ成立フラグ２３ｄをオンして（Ｓ１３４）、処理をＳ１３５へ移行する。
【０１４２】
また、ボーナス蓄越メモリ１２３ｉの先頭に記憶されているデータがメモリのエンドコードである場合、即ち、ボーナス蓄越メモリ２３ｃに「ＢＢ」又は「ＲＢ」のいずれのデータも記憶されていない場合には（Ｓ１３２：「エンドコード」）、乱数カウンタ２３ｂの値に基づくボーナス役の成立条件が事前に成立していないので、サブ制御基板Ｓへ通常開始音コマンドを送信して（Ｓ１３７）、このボーナス設定処理（Ｓ１４）を終了する。ボーナスゲームへの移行の設定を行うＳ１３３〜Ｓ１３６の処理がスキップされ、通常の開始音を伴って３回目の始動操作で変動が開始される。遊技者は、３回目の始動操作の機会が今回のゲームにはあったものの、ボーナスゲームへの抽選には落選したことを認識する。
【０１４３】
なお、Ｓ１３１の処理において、ＢＢ成立フラグ２３ｃ又はＲＢ成立フラグ２３ｄが既にオンされていた場合は（Ｓ１３１：Ｙｅｓ）、今回以前のゲームにおいて３回の始動操作を伴う始動演出が行われてボーナス役の放出条件が成立したものの未だにその入賞が発生していない状態において、再びボーナス役の放出条件が成立した場合である。この場合には、ボーナス役が未付与のままでボーナス蓄越メモリ１２３ｉに記憶された１回のボーナス役成立を示すデータが消去されることを防止するため、Ｓ１３２〜Ｓ１３６の処理はスキップして、処理をＳ１３７へ移行する。このボーナス設定処理（Ｓ１２９）の終了後には、処理が図１３のＳ１２６へ移行する。
【０１４４】
次に図１５を参照して、入賞判定処理（Ｓ１４０）について説明する。入賞判定処理（Ｓ１４０）は、第１実施例の入賞判定処理（Ｓ６２）に代えて主制御基板Ｃのメイン処理（図９に示す変動停止処理（Ｓ４））の中で行われるものであり、第１実施例の入賞判定処理（Ｓ６２）に対してＳ１４１の処理を追加したものである。
【０１４５】
ボーナス役の入賞があった場合には（Ｓ７１：Ｙｅｓ）、チャンス残数カウンタ１２３ｉの値に「５」を書き込み（Ｓ１４１）、その後に第１実施例と同様、入賞役に応じて各フラグの更新を行う。チャンス残数カウンタ１２３ｉの値がボーナス役の入賞に対応して更新され、ボーナスゲーム後に５回の始動演出が行われるまでの始動演出の実行条件を成立し易いものとし、ボーナスゲーム後に連続してボーナスゲームが発生し易い遊技性を提供することができる。
【０１４６】
このように、第２実施例のスロットマシンでは、ボーナスゲームへの遷移が確定するボーナス成立フラグ２３ｃ，２３ｄがオンされるためには、最初の始動操作のタイミングに対応して１００分の１で成立する抽選（図１２のＳ１０７の処理）と、２回目の始動操作のタイミングに対応して３分の１で成立する抽選（図１３のＳ１２３の処理）に当選し、更に３回目の始動操作のタイミングに対して２分の１で成立する抽選（図１３のＳ１２８の処理）に当選することが条件となる。このため、複数回の始動操作が行われたタイミングのそれぞれに制御が分散され、１回毎の抽選制御を簡易にしつつ、１回の抽選条件より複雑化された抽選条件に基づいた抽選結果を導出することができる。よって、１回毎の始動操作時における制御を簡易にして制御の安定化を図りつつ、複数回の抽選による複雑化された抽選条件に基づいて多様な遊技性を提供することができる。なお、複数回の始動操作が行われたタイミングのそれぞれにおける抽選の当選を条件とするのは、必ずしもボーナスゲームへの遷移とする必要はなく、その複数回の当選を条件に特定の小役（例えば「賽銭箱」）を成立させるようにしても良く、その特定の小役に対する小役成立フラグ２３ｅのオンを複数回の当選を条件に行っても良い。
【０１４７】
また、第２実施例のスロットマシンでは、最初の始動操作の実行が検出されたタイミングだけでなく、２回目の始動操作の実行が検出されたタイミングも始動操作の回数を３回とするための条件となっている。このため、遊技者にとっては２回目の始動操作のタイミングも始動操作の回数に関連し、ひいてはボーナスゲームへの遷移に関連した重要なものとなる。よって、始動操作の回数決定に対しての制御内容を知る遊技者にとっては、２回目の始動操作に対しても操作回数の増加に意識を向けさせることができ、遊技に対しての参加意識を一層高めることができる。
【０１４８】
更に、２回目の始動操作のタイミングで３回目の始動操作を図柄の変動開始に必要とするためにステップカウンタ１２３ｇの値を更新する処理（図１３のＳ１２４の処理）は、最初の始動操作のタイミングで始動操作の回数を複数回とする１００分の１の確率より成立し易い３分の１で成立する条件に基づいて行われる。このため、最初に始動操作の回数が増加されて２回の始動操作が必要となった後には、より高確率で更に始動操作の回数が増加する。よって、始動操作の回数決定に対しての制御内容を知る遊技者は、最初の始動操作は２回以上となり難く期待が持てないので、あまり複数回の始動操作を意識しないで遊技を行い、最初の始動操作で変動が開始されない場合にはその後に簡易な条件の成立で始動操作の回数が更に増加する遊技性によって期待を抱き易い。従って、始動操作の増加に対しての意識を１回目と２回目の始動操作とのそれぞれで異ならせることができ、２回目の始動操作のタイミングに対しては遊技者が始動操作の回数増加に向ける注意を更に高めて、遊技に対しての参加意識を高めることができる。
【０１４９】
また、１回と２回以上の複数回とに始動操作の回数を変化させる条件は、ボーナスゲーム終了後の一定期間中であるか否かに対応して１００分の１で成立する抽選（図１２のＳ１０７の処理）と、５分の１で成立する抽選（図１２のＳ１０５の処理）とされているので、複数回の始動操作が必要となるか否かが遊技履歴に対応して変化する。よって、ボーナスゲーム後には、始動操作の回数が増加する遊技が高頻度で発生し、複数回の始動操作に対して遊技者が抱く期待感をボーナスゲーム後の一定期間に集中させることができ、遊技者が抱く期待感に起伏を設けて単調な遊技性を払拭することができる。ここで、第１実施例のスロットマシン１においても、複数回の始動操作を必要として図柄の変動を開始させる条件を遊技履歴に対応して変化させるように構成しても良い。
【０１５０】
なお、請求項１記載の遊技機及び後述する遊技機１における識別情報とは、上記実施例における「７」、「賽銭箱」、「水瓶」等の各図柄が該当する。また、請求項１記載の遊技機及び遊技機１における検出手段としては、スタートスイッチ８ａ並びにスタートスイッチ８ａのオン信号の検知及びマックスベットを確認して役成立の抽選条件の成立か否かを判断する処理（図７又は図１２のＳ１１及びＳ１２の処理）が該当する。また、抽選手段としては、上記実施例における乱数カウンタ２３ｂとその乱数カウンタ２３ｂの値に基づいて成立役を選定する変動開始処理における各処理（図７のＳ１３からＳ１５及びＳ１９並びに図８のＳ３４からＳ３７の各処理、又は、図１２のＳ１３及びＳ１０１からＳ１０８並びに図１３のＳ１２２からＳ１２９の各処理）が該当する。また、停止制御手段としては、上記実施例における主制御基板ＣのＲＯＭ２２に設けられる各成立テーブル２２ａ〜２２ｃに基づいて各リールＬ，Ｍ，Ｒを停止させる変動停止処理（図９のＳ４の処理）を行う主制御基板Ｃが該当する。また、遊技価値付与手段としては、状態フラグ２３ａの状態に基づいて実行されるボーナスゲーム実行処理（図６のＳ７の処理）、メダル払出処理（図１０又は図１５のＳ７７の処理）、及び、入賞役に応じてメダルの払出動作を行うホッパ駆動モータ２９が該当する。
【０１５１】
また、請求項１記載の遊技機及び遊技機１における始動操作手段としては、上記実施例におけるスタートレバー８が該当する。また、通常始動手段と特別始動手段と操作回数変化手段としては、上記第１，第２実施例における主制御基板Ｃが該当し、特に通常始動手段としては、リールＬ，Ｍ，Ｒを始動させる図７及び図１２のＳ１７の処理が該当し、特別始動手段としては、２回目以降の始動操作が行われたタイミングでリールＬ，Ｍ，Ｒを始動させる図８のＳ３９の処理（第２実施例においては図１３のＳ１２７の処理）が該当し、操作回数変化手段としては、主制御基板Ｃの始動操作カウンタ２３ｇと、その始動操作カウンタ２３ｇを成立役がボーナス役であるか否かに対応して別々の条件に従ってオンに切り替える各処理（第１実施例においては図７のＳ１６，Ｓ２０，Ｓ２１の各処理、第２実施例においては図１２のＳ１０４，Ｓ１０５，Ｓ１０７，図１３のＳ１２３，Ｓ１２８の各処理）が該当する。
【０１５２】
以上、実施例に基づき本発明を説明したが、本発明は上記実施例に何ら限定されるものではなく、本発明の趣旨を逸脱しない範囲内で種々の変形改良が可能であることは容易に推察できるものである。
【０１５３】
例えば、上記実施例においては、乱数カウンタ２３ｂの値に基づく抽選によるボーナス役の成立か否かに応じて図柄の変動を開始させる始動操作の回数を変化させたが、必ずしも始動操作の回数を変化させるのはボーナス役の成立に応じるものとする必要はない。特定の小役（例えば、「チェリー」）が成立するゲームにおいて入力操作の回数を多くしても良く、「ＢＢ」又は「ＲＢ」の成立があった場合にその成立を記憶（ストック）する遊技機におけるその成立があったゲームにおいてその回数を多くしても良い。即ち、特別遊技へ遷移し得ること、又は、遷移する確率が高いこと等、通常とは異なる特別の状態となっている場合に通常時より高確率で図柄の変動を開始させるための入力回数を変化させるものであれば良い。
【０１５４】
また、上記実施例においては、遊技者の操作により図柄の変動開始又は変動停止とを行わせるように構成されていたが、図柄の変動停止に遊技者の操作を必要としないで主制御基板Ｃ等のスロットマシンの制御のみに基づいて行わせても良い。
【０１５５】
更に、上記実施例においては、始動演出の実行条件が成立したゲームにおいては、３回の始動操作が行われなければ図柄の変動を開始させなかったが、必ずしも３回の始動操作を図柄の変動開始の条件とする必要はない。１回目の始動操作後に所定時間（本実施例においては１０秒）が経過したか否かを判断する処理を（例えば、図８のＳ３１とＳ３２の間に）設けて、１回目の始動操作後に所定時間が経過したと判断された場合には、始動操作カウンタの値を「０」クリアすると共に図８のＳ３９の処理へ移行し、スタートスイッチ８ａのオン信号を検知しなくても各リールＬ，Ｍ，Ｒの始動と、変動開始コマンドの送信とを行わせても良い。１回目の始動操作後に所定時間が経過すると、スタートレバー８に対する始動操作が無くても各リールＬ，Ｍ，Ｒが始動して図柄の変動が開始されるので、再度の始動操作が待機中であることが判らない遊技者が遊技を行っていても、速やかに遊技を再開させることができる。
【０１５６】
本発明を上記実施例とは異なるタイプの遊技機（パチンコ機）等に実施しても良い。例えば、一度大当たりすると、それを含めて複数回（例えば２回、３回）大当たり状態が発生するまで、大当たり期待値が高められるようなパチンコ機（通称、２回権利物、３回権利物と称される）として実施しても良い。また、大当たり図柄が表示された後に、所定の領域に球を入賞させることを必要条件として特別遊技状態となるパチンコ機として実施しても良い。更に、パチンコ機以外にも、アレパチ、雀球、いわゆるパチンコ機とスロットマシンとが融合した遊技機などの各種遊技機として実施するようにしても良い。
【０１５７】
なお、スロットマシンは、例えばコインを投入して図柄有効ラインを決定させた状態で操作レバーを操作することにより図柄が変動され、ストップボタンを操作することにより図柄が停止されて確定される周知のものである。従って、スロットマシンの基本概念としては、「複数の図柄からなる図柄列を変動表示した後に図柄を確定表示する可変表示手段を備え、始動用操作手段（例えば操作レバー）の操作に起因して図柄の変動が開始され、停止用操作手段（例えばストップボタン）の操作に起因して、或いは、所定時間経過することにより、図柄の変動が停止され、その停止時の確定図柄が特定図柄であることを必要条件として、遊技者に有利な特別遊技状態を発生させる特別遊技状態発生手段とを備えたスロットマシン」となり、この場合、遊技媒体はコイン、メダル等が代表例として挙げられる。
【０１５８】
以下に本発明の遊技機および変形例を示す。遊技者によって入力操作が行われる始動操作手段と、複数の識別情報を可変表示する可変表示手段と、前記始動操作手段に対する入力操作に起因して前記可変表示手段による識別情報の変動を開始させる変動開始手段と、前記始動操作手段に対する前記入力操作の実行を検出する検出手段と、その検出手段により前記入力操作の実行が検出された時期に対応した抽選を行う抽選手段と、その抽選手段による抽選結果に基づいて前記可変表示手段の所定領域に停止させる識別情報を制御する停止制御手段と、その停止制御手段によって前記可変表示手段の所定領域に所定の識別情報を停止させた場合に所定の遊技価値を付与する遊技価値付与手段とを備えた遊技機において、前記変動開始手段は、前記始動操作手段に対して１回の入力操作が行われた場合に前記識別情報の変動を開始させる通常始動手段と、前記始動操作手段に対して前記入力操作が少なくとも２回以上繰り返して行われた場合に前記識別情報の変動を開始させる特別始動手段と、前記通常始動手段と前記特別始動手段とを切り替えて、前記識別情報の変動を開始させるための前記入力操作の回数を変化させる操作回数変化手段とを備え、前記抽選手段は、前記特別始動手段によって前記識別情報の変動を開始させる場合に複数回の前記入力操作の実行検出時期に対応した抽選結果を導出するものであり、前記停止制御手段は、前記複数回の入力操作の実行検出時期に対応した抽選結果に基づいて前記可変表示手段の所定領域に停止させる識別情報を制御するものであることを特徴とする遊技機１。
【０１５９】
なお、請求項１記載の遊技機または遊技機１において、操作回数変化手段は、抽選手段の抽選結果に応じて通常始動手段と特別始動手段とを切り替えるものとしても良い。また、操作回数変化手段は、抽選手段の抽選結果が遊技者に所定の遊技価値が付与される抽選結果である場合に入力操作の回数が増加するように入力操作の回数を変化させることが好ましい。遊技者には所定の遊技価値の付与を入力操作の繰り返しと共に期待させることができ、自らの動作を繰り返すことで段階的に有利な遊技状態に近づく遊技性を付与することができる。
【０１６０】
遊技機１において、前記抽選手段は、最初の入力操作の実行検出時期に対応した抽選結果を導出する第１抽選手段と、前記特別始動手段によって前記識別情報の変動を開始させる場合に複数回の前記入力操作のうち２回目以降の入力操作の実行検出時期に対応した抽選結果を導出する第２抽選手段とを備え、前記第１抽選手段によって所定の抽選結果が導出されると共に前記第２抽選手段によって所定の抽選結果が導出されることを必要条件として遊技者にとって有利な特別遊技状態へ遊技状態を遷移させる遊技状態変更手段を備えていることを特徴とする遊技機２。
【０１６１】
遊技機２によれば、遊技状態変更手段によって遊技状態が特別遊技状態へ遷移させられるためには、複数回の入力操作の実行検出時期に対応した抽選結果として所定の抽選結果が導出されることが条件となる。このため、複数回の入力操作が行われた時期のそれぞれに制御が分散され、１回毎の制御を簡易にしつつ、１回の抽選条件より複雑化された抽選条件に基づいた抽選結果を導出することができる。よって、１回毎の始動操作時における制御を簡易にして制御の安定化を図りつつ、複数回の抽選による複雑化された抽選条件に基づいて多様な遊技性を提供することができる。
【０１６２】
なお、遊技機２における第１抽選手段によって導出される所定の抽選結果と、第２抽選手段によって導出される所定の抽選結果とは、同一の条件で予め設定されたものであっても良いし、それぞれが別々の条件で予め設定されたものであっても良い。また、遊技機２としては上記第２実施例におけるスロットマシンが例示され、第１抽選手段としては図１２のＳ１０５及びＳ１０７の処理が例示され、第２抽選手段としては図１３のＳ１２３及びＳ１２８の処理が例示される。また、特別遊技状態としては、その遷移以前より遊技価値が付与され易い所定回数の遊技（変動開始から変動停止までを１回の遊技とし、遊技価値が付与される場合にはその付与までを含めて１回の遊技とする）で構成される遊技状態を意味している。特別遊技状態としては、上記実施例におけるボーナスゲームが例示される。
【０１６３】
遊技機１又は２において、前記抽選手段は、最初の入力操作の実行検出時期に対応した抽選結果を導出する第１抽選手段と、前記特別始動手段によって前記識別情報の変動を開始させる場合に複数回の前記入力操作のうち２回目以降の入力操作の実行検出時期に対応した抽選結果を導出する第２抽選手段とを備え、前記停止制御手段は、前記第１抽選手段および前記第２抽選手段によって所定の抽選結果が導出されることを必要条件として予め定めた第１の識別情報を前記可変表示手段の所定領域に停止させるものであり、前記遊技価値付与手段は、前記停止制御手段によって前記可変表示手段の所定領域に前記第１の識別情報を停止させた場合にその第１の識別情報に対して予め定めた遊技価値を付与するものであることを特徴とする遊技機３。
【０１６４】
遊技機２によれば、可変表示手段の所定領域に第１の識別情報が停止すると、遊技価値付与手段により、第１の識別情報に対して予め定められた遊技価値が付与される。所定領域への第１の識別情報の停止は、第１抽選手段および第２抽選手段によって所定の抽選結果が導出されることが必要条件とされるので、複数回の入力操作における各実行検出時期に対応した抽選結果として所定の抽選結果が導出されることが所定領域への第１の識別情報の停止に必要な条件となる。このため、複数回の入力操作が行われた時期のそれぞれに制御が分散され、１回毎の始動操作時における制御を簡易にして制御の安定化を図りつつ、複数回の抽選による複雑化された抽選条件に基づいて多様な遊技性を提供することができる。
【０１６５】
なお、第１の識別情報としては、上記第２実施例における「７」および「ＢＡＲ」の停止図柄が例示され、予め定めた遊技価値としては「７」または「ＢＡＲ」の停止図柄が停止したゲームにおいて払い出される１５枚のメダルが例示される。
【０１６６】
遊技機１において、前記抽選手段は、最初の入力操作の実行検出時期に対応した抽選結果を導出する第１抽選手段と、その第１抽選手段によって所定の抽選結果が導出されることを条件として遊技者にとって有利な特別遊技状態へ遊技状態を遷移させる第１状態変更手段と、前記特別始動手段によって前記識別情報の変動を開始させる場合に複数回の前記入力操作のうち２回目以降の入力操作の実行検出時期毎に各実行検出時期に対応した抽選結果を導出する第２抽選手段と、その第２抽選手段によって所定の抽選結果が導出されることを必要条件として前記第１抽選手段の抽選結果に拘わらず前記特別遊技状態へ遊技状態を遷移させる第２状態変更手段とを備えていることを特徴とする遊技機４。
【０１６７】
遊技機４によれば、１回目と２回目以降の入力操作のうち、いずれか一方によって所定の抽選結果が導出されることを条件として特別遊技状態へ遊技状態が遷移する。よって、変動開始に対する最初の入力操作によって特別遊技状態へ遷移する従来通りの遊技性を付加しつつ、２回目以降の入力操作に対しても同一種類の特別遊技状態への遷移を遊技者に期待させることができ、多彩な遊技性を遊技機に付加して遊技の興趣を高めることができる。
【０１６８】
なお、遊技機４における第１抽選手段によって導出される所定の抽選結果と、第２抽選手段によって導出される所定の抽選結果とは、同一の条件で予め設定されたものであっても良いし、それぞれが別々の条件で予め設定されたものであっても良い。
【０１６９】
遊技機４において、前記第１抽選手段と前記第２抽選手段とは、前記入力操作の実行検出時期に対応する抽選を同一条件に従って行うものであり、前記第２状態変更手段は、前記第１状態変更手段により前記特別遊技状態へ遊技状態を遷移させる抽選結果と同一の抽選結果が前記第２抽選手段によって導出されることを条件として前記第１抽選手段による抽選結果に拘わらず前記特別遊技状態へ遊技状態を遷移させるものであることを特徴とする遊技機５。
【０１７０】
遊技機５によれば、第１抽選手段と第２抽選手段とによる抽選は同一条件に従って行われ、第２状態変更手段によって特別遊技状態へ遊技状態が遷移させられるのは、第１状態変更手段による特別遊技状態への遷移条件と同一の抽選結果の導出となっている。よって、２回目以降の入力操作に対する抽選の制御においては、最初の入力操作に対する抽選の制御の少なくとも一部を流用することができ、複数回の入力操作時期に対応した抽選を行う場合における制御プログラムの開発を簡易にし、また同一処理を繰り返してプログラムやテーブル等を記憶する装置の要求性能を低下させるなど、コストの増加を抑制することができる。
【０１７１】
なお、「入力操作の実行検出時期に対応する抽選を同一条件に従って行う」とは、例えばカウンタを使用する場合におけるカウンタの更新範囲とカウンタの値に対して割り当てられる成立役を同一とした抽選を行う場合を意味しており、同一確率で役が成立する抽選を意味している。また、同一条件に従って行われる抽選は、遊技機に設定された全ての役の成立に対する抽選としても良く、一部の役の成立に対する抽選としても良い。また、遊技機４及び遊技機５としては上記第１実施例におけるスロットマシン１が例示され、第１抽選手段としては図７のＳ１３の処理が、第２抽選手段としては図８のＳ３５の処理が、第１状態変更手段としては図７のＳ１４及びＳ１５の処理が、第２状態変更手段としては図８のＳ３６及びＳ３７の処理がそれぞれ例示される。
【０１７２】
遊技機１又は遊技機４若しくは５において、前記抽選手段は、最初の入力操作の実行検出時期に対応した抽選結果を導出する第１抽選手段と、前記特別始動手段によって前記識別情報の変動を開始させる場合に複数回の前記入力操作のうち２回目以降の入力操作の実行検出時期に対応した抽選結果を導出する第２抽選手段とを備え、前記停止制御手段は、前記第１抽選手段又は前記第２抽選手段によって予め定めた抽選結果が導出された場合に予め定めた第２の識別情報を前記可変表示手段の所定領域に停止させるものであり、前記遊技価値付与手段は、前記停止制御手段によって前記可変表示手段の所定領域に前記第２の識別情報を停止させた場合にその第２の識別情報に対して予め定めた遊技価値を付与するものであることを特徴とする遊技機６。
【０１７３】
遊技機６によれば、１回目と２回目以降の入力操作のうち、いずれか一方によって所定の抽選結果が導出されることを条件として第２の識別情報が所定領域へ停止し、第２の識別情報に対して予め定められた遊技価値が付与される。よって、変動開始に対する最初の入力操作によって遊技価値が付与される従来通りの遊技性を付加しつつ、２回目以降の入力操作に対しても同一の遊技価値の付与を遊技者に期待させることができ、多彩な遊技性を遊技機に付加して遊技の興趣を高めることができる。
【０１７４】
遊技機６において、前記第１抽選手段と前記第２抽選手段とは、前記入力操作の実行検出時期に対応する抽選を同一条件に従って行うものであり、前記停止制御手段は、前記第１抽選手段または前記第２抽選手段の少なくとも一方によって前記予め定めた抽選結果が導出された場合に前記第２の識別情報を前記可変表示手段の所定領域に停止させるものであることを特徴とする遊技機７。
【０１７５】
遊技機７によれば、第１抽選手段と第２抽選手段とによる抽選は同一条件に従って行われ、停止制御手段によって所定領域へ第２の識別情報が停止させられるのは、第１抽選手段または第２抽選手段の少なくとも一方による予め定めた抽選結果の導出となっている。よって、複数回の入力操作時期に対応した抽選を行う場合においては、最初の入力操作に対する抽選の制御の少なくとも一部を２回目以降の入力操作に対する抽選に流用することができ、制御プログラムの開発を簡易にし、また記憶装置の要求性能を低下させるなど、コストの増加を抑制することができる。
【０１７６】
遊技機６または７において、前記遊技価値付与手段により付与される遊技価値の異なる少なくとも２種以上の識別情報が前記第２の識別情報として設定され、前記第１抽選手段と前記第２抽選手段とは、前記２種以上の識別情報を前記可変表示手段の所定領域に停止させるか否かに対する抽選を各入力操作の実行検出時期に対応して行うものであり、前記停止制御手段は、前記特別始動手段によって前記識別情報の変動を開始させる場合に前記第１抽選手段および前記第２抽選手段により複数回の前記入力操作の実行検出時期に対応して前記２種以上の識別情報を前記可変表示手段の所定領域に停止させる抽選に当選したとき、予め順序づけられた高利な遊技価値を付与する１種の識別情報を前記所定領域に停止させるものであることを特徴とする遊技機８。
【０１７７】
遊技機８によれば、複数回の入力操作によって変動が開始される遊技において、２種以上の識別情報（第２の識別情報）を可変表示手段の所定領域に停止させる抽選に当選したときには、予め順序づけられた高利な遊技価値を付与する１種の識別情報が所定領域に停止させられる。よって、複数回の入力操作による抽選においては、遊技者にとってより価値の高い識別情報が所定領域に停止し易くなり、複数回の入力操作に対する遊技者の操作意欲を増大して遊技に対しての参加意識を一層高めることができる。
【０１７８】
遊技機１から８のいずれかにおいて、前記操作回数変化手段は、前記特別始動手段によって前記識別情報の変動を開始させる場合に、複数回の前記入力操作のうち最初の入力操作の実行検出時期にのみ基づいて前記識別情報の変動を開始させるための前記入力操作の回数を変化させるものであることを特徴とする遊技機９。
【０１７９】
遊技機９によれば、最初の入力操作の実行検出時期にのみ基づいて変動開始に必要とする入力操作の回数が変化させられる。このため、入力操作の回数は、最初の入力操作が行われた時期に基づいて定められ、２回目以降の入力操作時においては入力操作の回数の決定に対する制御が不要になる。よって、１回毎に入力操作の回数増加に対する抽選を行う場合に比較して、２回目以降の入力操作時に必要となる制御を簡易にしつつ入力操作の回数が変化する遊技性を付加することができる。
【０１８０】
遊技機９において、前記操作回数変化手段は、最初の前記入力操作の実行検出時期に基づいて前記入力操作の回数を少なくとも２種以上の複数回の中から選定する回数抽選手段を備え、その回数抽選手段によって選定された回数を前記識別情報の変動を開始させるための前記入力操作の回数とするものであることを特徴とする遊技機１０。
【０１８１】
遊技機１０によれば、変動開始に必要とする入力操作の回数は、少なくとも２種以上の複数回の中から選定されるので、２種以上の複数回の入力操作を条件として識別情報の変動が開始される。よって、単に１回か、複数回かといった意識だけでなく、変動開始に必要とされる入力操作の回数に対しても遊技者の意識を向けさせることができ、複数回の入力操作に対して抽選が行われる遊技性を引き立てることができる。
【０１８２】
なお、遊技機９及び遊技機１０としては、上記第１実施例における図７のＳ２１からＳ２３の処理を操作回数変化手段として備える第１実施例のスロットマシン１が例示される。
【０１８３】
遊技機１から１０のいずれかにおいて、前記操作回数変化手段は、最初の前記入力操作の実行検出時期に対応して前記識別情報の変動を開始させるための前記入力操作の回数を１回または複数回に変化させる第１変化手段と、２回目以降の入力操作の実行検出時期に対応して前記入力操作の回数を変化させる第２変化手段とを備えていることを特徴とする遊技機１１。
【０１８４】
遊技機１１によれば、最初の入力操作の実行検出時期だけでなく、２回目以降の入力操作の実行検出時期も入力操作の回数を変化させるための条件となっているので、遊技者にとっては２回目以降の入力操作のタイミングも入力操作の回数に関連し、ひいては付与される遊技価値に関連した重要なものとなる。よって、入力操作の回数決定に対しての制御内容を知る遊技者にとっては、２回目以降の入力操作に対しても入力回数の変化に意識を向けさせることができ、遊技に対しての参加意識を一層高めることができる。
【０１８５】
なお、第１変化手段としては、上記第２実施例における図１２のＳ１０７の処理が例示され、第２変化手段としては上記第２実施例における図１３のＳ１２３の処理が例示される。
【０１８６】
遊技機１１において、前記第２変化手段は、前記第１変化手段によって前記入力操作の回数を複数回とするより成立し易い条件に基づいて前記入力操作の回数を増加させるものであることを特徴とする遊技機１２。
【０１８７】
遊技機１２によれば、第２変化手段は、第１変化手段によって入力操作の回数を複数回とするより成立し易い条件に基づいて入力操作の回数を増加させるので、最初に入力操作の回数が増加されて複数回の入力操作が必要となった後には、より高確率で第２変化手段によって更に入力操作の回数が増加される。このため、入力操作の回数決定に対しての制御内容を知る遊技者は、最初の入力操作は複数回の入力操作が必要となり難く期待が持てないものの、最初の入力操作で変動が開始されない場合にはその後に簡易な条件の成立で入力操作の回数が更に増加する遊技性によって期待を抱き易い。よって、入力操作の増加に対しての意識を１回目と２回目以降の入力操作とのそれぞれで異ならせることができ、２回目以降の入力操作時期に対して遊技者が入力操作の回数に向ける注意を更に高めて、遊技に対しての参加意識を高めることができる。
【０１８８】
遊技機１から１２のいずれかにおいて、遊技履歴を複数回の変動に跨って記憶する記憶手段を備え、前記第１変化手段は、その記憶手段に記憶された遊技履歴に応じた別々の条件に基づいて前記入力操作の回数を１回または複数回に変化させるものであることを特徴とする遊技機１３。
【０１８９】
遊技機１３によれば、第１変化手段によって１回または複数回に入力操作の回数を変化させる条件は遊技履歴に応じた別々のものであるので、複数回の入力操作が必要となるか否かが遊技履歴に対応して変化する。よって、特定の遊技履歴となった場合に入力操作の回数が増加する遊技を高頻度で発生させて、複数回の入力操作に対して遊技者が抱く期待感を特定の期間に集中させることができ、遊技者が抱く期待感に起伏を設けて単調な遊技性を払拭することができる。なお、遊技履歴とは、１回の遊技として１回の表示結果を現出する遊技の履歴であって変動を終了した前回以前の遊技の履歴を意味しており、所定の表示結果を現出した後の遊技であるか否か、所定条件が成立した後の所定回数内の変動であるか否か、或いは、各遊技毎に行われる所定の抽選に当選した回数が所定数以上であるか否かなどが例示される。また、記憶手段としては、上記第２実施例におけるチャンス残数カウンタ１２３ｊが例示され、遊技履歴としては、上記実施例におけるボーナスゲーム終了後に複数回の入力操作を必要とした変動の回数が所定数以下であるか否かが例示される。
【０１９０】
遊技機１から１３のいずれかにおいて、前記始動操作手段に対する入力操作の回数に対応して更新される回数情報を記憶する記憶手段と、その記憶手段に記憶される回数情報を前記始動操作手段に対する前記入力操作の実行に応じて更新する更新手段と、その更新手段により更新される回数情報に基づいて前記所定の入力操作が予め設定された少なくとも２回以上の所定回数行われたか否かを判断する回数判断手段とを備え、前記特別始動手段は、その回数判断手段により前記入力操作が前記所定回数行われたと判断された場合に前記識別情報の変動を開始させるものであることを特徴とする遊技機１４。
【０１９１】
遊技機１４によれば、記憶手段に記憶される回数情報は、始動操作手段に対する入力操作の実行に応じて更新手段により更新されるので、その回数情報に基づいて始動操作手段に対する入力操作が所定回数繰り返して行われたか否かを判断することができる。よって、前に入力操作が行われているか否かを回数情報に基づいてたタイミングで特別始動手段により識別情報の変動を開始させることができ、複数回の入力操作に基づく多様な遊技性を遊技者に提供することができる。
【０１９２】
なお、遊技機１４における記憶手段と更新手段と回数判断手段とは、上記第１実施例においては、記憶手段として主制御基板Ｃの始動操作カウンタ２３ｇが、更新手段として始動操作カウンタ２３ｇの値を更新する処理（図７のＳ２２及びＳ２３並びに図８のＳ３３の各処理）が、回数判断手段として始動操作カウンタ２３ｇの値が「１」以上か否かを判断する図８のＳ３８の処理が例示され、上記第２実施例においては、記憶手段として主制御基板Ｃのステップカウンタ１２３ｆが、更新手段としてステップカウンタ１２３ｆの値を更新する処理（図１２のＳ１０８並びに図１３のＳ１２４及びＳ１２６の各処理）が、回数判断手段としてステップカウンタ１２３ｆの値を判断する図１３のＳ１２２の処理が例示される。
【０１９３】
遊技機１から１４のいずれかにおいて、前記抽選手段の抽選結果に基づいて遊技状態を遊技者にとって有利な特別遊技状態へ遷移させる遊技状態変更手段を備え、前記入力回数変化手段は、その遊技状態変更手段により遊技状態が前記特別遊技状態へ遷移した後には、前記特別遊技状態へ遷移する前より前記第２可変手段を高確率で選択するものであることを特徴とする遊技機１５。
【０１９４】
遊技機１５によれば、遊技状態が特別遊技状態へ遷移した後には、遊技状態が特別遊技状態へ遷移する前より第２可変手段が高確率で選択される。このため、特別遊技状態へ遷移した後の遊技において、遊技者に所定の入力操作を繰り返し行わせて識別情報の変動を開始又は停止させることができる。従って、遊技者には、入力操作の繰り返しによって有利な遊技状態に対する期待感を高める遊技性を提供することができる。
【０１９５】
なお、遊技機１５において、入力回数変化手段は、遊技状態が特別遊技状態へ遷移する前には第２可変手段を所定確率で選択するものとし、特別遊技状態へ遷移した後には所定確率より高確率で第２可変手段を選択するものとしても良い。遊技者は複数回の入力操作を繰り返しても有利な遊技状態への遷移を確信し得ず、特別遊技状態ではないことへの疑心を抱かせて遊技に対してのわくわく感を付与することができる。
【０１９６】
また、遊技機１５における「特別遊技状態」とは、抽選手段による抽選結果に基づいて可変表示手段の所定領域に所定の識別情報が停止し得る状態、又は、抽選手段による抽選結果に基づいて可変表示手段の所定領域に所定の識別情報が停止し易い複数回の遊技で構成される特別遊技への遷移が確定した状態、若しくは、その特別遊技中の状態を意味し、上記実施例における特別遊技状態としてはボーナス成立フラグ２３ｃ，２３ｄがオンされてボーナスゲームへの遷移が確定した状態が例示される。また、遊技機１５における遊技状態変更手段としては、上記実施例における主制御基板Ｃが該当し、特に主制御基板ＣのＲＡＭに設けられるボーナス成立フラグ２３ｃ，２３ｄと、ボーナス成立フラグ２３ｃ，２３ｄをオンする各処理とが例示される。
【０１９７】
遊技機１から１５のいずれかにおいて、前記入力回数変化手段によって前記特別始動手段が選択された場合には前記通常始動手段が選択された場合とは異なる特別情報を、前記特別操作手段に対する所定の入力操作に基づいて出力する出力手段を備えていることを特徴とする遊技機１６。
【０１９８】
遊技機１６によれば、第２可変手段が選択されて変動の開始又は停止に複数回の入力操作を必要とする場合には、所定の入力操作に基づいて特別情報が出力される。よって、入力操作の回数変化と所定の遊技価値の付与とが対応した興趣演出の実行を一層判りやすく遊技者に示すことができる。
【０１９９】
なお、出力手段としては、上記各実施例におけるスピーカ１７と、そのスピーカ１７により通常開始音及び特別開始音を出力させる各処理を行う主制御基板Ｃと、主制御基板Ｃの指示に基づいてスピーカの音声出力を制御するサブ制御基板Ｓとが例示される。また、出力手段は、特別情報としての音を出力するスピーカとそのスピーカにより出力される音の強さ、高さ、音色の少なくとも１つを入力操作の回数に応じて異ならせる音制御手段としても良く、又は、表示情報を出力するＬＣＤやランプ等に代表される表示装置とその表示装置の表示態様を入力操作の回数に応じて異ならせる表示制御手段としても良い。また、遊技機１６において、「所定の入力操作に基づいて出力する」とは、入力操作に対応した所定のタイミングで出力することを意味しており、入力操作と同時に出力することはもちろん、入力操作から一定時間が経過した後に出力することをも意味している。
【０２００】
遊技機１６において、前記出力手段は、前記特別情報を、前記特別操作手段に対する２回以上の入力操作のうち前記識別情報の変動を開始又は停止させる最後の入力操作に基づいて出力するものであることを特徴とする遊技機１７。
【０２０１】
遊技機１７によれば、識別情報の変動開始又は変動停止に基づいて特別情報が出力されるので、遊技者には、入力操作の回数変化に伴って興趣演出の実行を意識させた状態で特別情報の出力を認識させることができる。よって、遊技者の期待感を高めた状態における特別情報の出力によって興趣演出の実行を更に判りやすく示すことができる。
【０２０２】
遊技機１７において、前記最後の入力操作であるか否かを判断する操作判断手段を備え、その操作判断手段により前記最後の入力操作でないと判断された場合にはその入力操作に同期した遊技に関する情報を出力せず、前記操作判断手段により前記最後の入力操作であると判断された場合に限って前記出力手段により前記特別情報を遊技に関する情報として出力することを特徴とする遊技機１８。
【０２０３】
遊技機１８によれば、最後の入力操作でない場合には遊技に関する情報は出力されず、最後の入力操作に限って入力操作に同期した情報が出力される。よって、入力操作に対しての反応が無かった遊技機から変動開始又は変動停止に基づいて特別情報が出力されることとなり、特別情報の出力による遊技の興趣を一層引き立てることができる。なお、遊技機１８における操作判断手段としては上記第１実施例における図８のＳ３８の処理が例示される。
【０２０４】
遊技機１から１８のいずれかにおいて、前記遊技機はパチンコ遊技機であることを特徴とする遊技機１９。中でも、パチンコ遊技機の基本構成としては操作ハンドルを備え、その操作ハンドルの操作に応じて球を所定の遊技領域へ発射し、球が遊技領域内の所定の位置に配設された作動口に入賞（又は作動口を通過）することを必要条件として、可変表示手段において変動表示されている識別情報が所定時間後に確定停止されるものが挙げられる。また、特別遊技状態の発生時には、遊技領域内の所定の位置に配設された可変入賞装置（特定入賞口）が所定の態様で開放されて球を入賞可能とし、その入賞個数に応じた有価価値（景品球のみならず、磁気カードへ書き込まれるデータ等も含む）が付与されるものが挙げられる。
【０２０５】
遊技機１から１８のいずれかにおいて、前記遊技機はスロットマシンであることを特徴とする遊技機２０。中でも、スロットマシンの基本構成としては、「複数の識別情報からなる識別情報列を変動表示した後に識別情報を確定表示する可変表示手段を備え、始動用操作手段（例えばスタートレバー）の操作に起因して識別情報の変動表示が開始され、停止用操作手段（ストップボタン）の操作に起因して、或いは、所定時間経過することにより、識別情報の変動表示が停止され、その停止時の確定識別情報が予め定めた特定識別情報であることを必要条件として、遊技者に有利な特別遊技状態を発生させる特別遊技状態発生手段とを備えた遊技機」となる。この場合、遊技媒体はコイン、メダル等が代表例として挙げられる。
【０２０６】
遊技機１から１８のいずれかにおいて、前記遊技機はパチンコ遊技機とスロットマシンとを融合させたものであることを特徴とする遊技機２１。中でも、融合させた遊技機の基本構成としては、「複数の識別情報からなる識別情報列を変動表示した後に識別情報を確定停止する可変表示手段を備え、始動用操作手段（例えばスタートレバー）の操作に起因して識別情報の変動表示が開始され、停止用操作手段（例えばストップボタン）の操作に起因して、或いは、所定時間経過することにより、識別情報の変動表示が停止され、その停止時の確定識別情報が予め定めた特定識別情報であることを必要条件として、遊技者に有利な特別遊技状態を発生させる特別遊技状態発生手段とを備え、遊技媒体として球を使用すると共に、前記識別情報の変動開始に際しては所定数の球を必要とし、特別遊技状態の発生に際しては多くの球が払い出されるように構成されている遊技機」となる。
【図面の簡単な説明】
【０２０７】
【図１】本発明の一実施例であるスロットマシンの斜視図である。
【図２】各リールを展開して図柄配列を示した図である。
【図３】各役と、入賞図柄、獲得利益及び役成立率との対応を示した図である。
【図４】スロットマシンの電気的構成を示したブロック図である。
【図５】小役成立テーブルの一部を構成する水瓶用小役成立テーブルを示した図である。
【図６】主制御基板で実行されるメイン処理のフローチャートである。
【図７】主制御基板のメイン処理の中で実行される変動開始処理のフローチャートである。
【図８】図７の変動開始処理の中で実行される始動演出処理のフローチャートである。
【図９】主制御基板のメイン処理の中で実行される変動停止処理のフローチャートである。
【図１０】変動停止処理の中で実行される入賞判定処理のフローチャートである。
【図１１】第２実施例におけるスロットマシンの電気的構成を示したブロック図である。
【図１２】第２実施例における主制御基板のメイン処理の中で実行される変動開始処理のフローチャートである。
【図１３】図１２の変動開始処理の中で実行される始動演出処理のフローチャートである。
【図１４】図１３の始動演出処理の中で実行されるボーナス設定処理のフローチャートである。
【図１５】第２実施例における主制御基板の変動停止処理の中で実行される入賞判定処理のフローチャートである。
【符号の説明】
【０２０８】
１                スロットマシン（遊技機）
６ａ〜６ｅ        有効ライン（所定領域）
８                スタートレバー（始動操作手段）
８ａ              スタートスイッチ（検出手段の一部）
２８              リール用ステッピングモータ（可変表示手段の一部）
２９              ホッパ駆動モータ（遊技価値付与手段の一部）
Ｃ                主制御基板（抽選手段、可変制御手段の一部、停止制御手段）
Ｌ                左リール（可変表示手段の一部）
Ｍ                中リール（可変表示手段の一部）
Ｒ                右リール（可変表示手段の一部）
【図１】
2005040525.tif 000003
【図２】
2005040525.tif 000004
【図３】
2005040525.tif 000005
【図４】
2005040525.tif 000006
【図５】
2005040525.tif 000007
【図６】
2005040525.tif 000008
【図７】
2005040525.tif 000009
【図８】
2005040525.tif 000010
【図９】
2005040525.tif 000011
【図１０】
2005040525.tif 000012
【図１１】
2005040525.tif 000013
【図１２】
2005040525.tif 000014
【図１３】
2005040525.tif 000015
【図１４】
2005040525.tif 000016
【図１５】
2005040525.tif 000017